(57)【特許請求の範囲】
【請求項１】
第１筐体と、
上記第１筐体に対し開方向及び閉方向に回動するようにして開閉可能に設けられた第２筐体と、
上記第１筐体に対し上記第２筐体が閉位置から上記開方向に回転した際、上記第２筐体の上記閉方向への回転を半開位置で一旦停止させ、上記第２筐体が上記半開位置から上記開方向の作業用開位置まで回転して開かれた際、上記第２筐体に対する上記作業用開位置に開いたままにする押さえが解除されると、上記第２筐体を上記作業用開位置から上記閉方向の上記半開位置まで自動的に回転させる開閉制御部と
を具え、
上記開閉制御部は、
上記第１筐体に対し上記第２筐体が上記閉位置から上記開方向の上記半開位置まで回転したときに、一端に上記第２筐体の上記開方向側の所定部分が当接するように配置され、上記第２筐体が上記半開位置から上記開方向の上記作業用開位置まで回転すると全体を縮めて上記第２筐体を上記閉方向へ回転させるように付勢するばねでなる
開閉装置。
【請求項２】
紙葉類を搬送するための所定の部品を有する第１筐体と、
上記紙葉類を搬送するための所定の部品を有し、上記第１筐体に対し開方向及び閉方向に変位させるようにして開閉可能に設けられ、上記第１筐体に対して閉じられると、当該第１筐体との間に上記紙葉類の搬送路を形成する第２筐体と、
上記第１筐体に対し上記第２筐体が上記開方向の作業用開位置まで変位して開かれた際、上記第２筐体に対する上記作業用開位置に開いたままにする押さえが解除されると、上記第２筐体を上記作業用開位置から上記閉方向の半開位置まで自動的に変位させる開閉制御部と
を具える紙葉類搬送装置。
【請求項３】
紙葉類を搬送するための所定の部品を有する第１筐体と、
上記紙葉類を搬送するための所定の部品を有し、上記第１筐体に対し開方向及び閉方向に変位させるようにして開閉可能に設けられ、上記第１筐体に対して閉じられると、当該第１筐体との間に取扱対象の上記紙葉類の搬送路を形成する第２筐体と、
上記第１筐体に対し上記第２筐体が上記開方向の作業用開位置まで変位して開かれた際、上記第２筐体に対する上記作業用開位置に開いたままにする押さえが解除されると、上記第２筐体を上記作業用開位置から上記閉方向の半開位置まで自動的に変位させる開閉制御部と
を具える紙葉類取扱装置。
【発明の詳細な説明】
【技術分野】
【０００１】
本発明は開閉装置、紙葉類搬送装置及び紙葉類取扱装置に関し、例えば、金融機関の営業店に設置される出納システムに設けられた紙幣入出金機、及び当該紙幣入出金機に設けられた開閉可能な搬送部に適用して好適なものである。
【背景技術】
【０００２】
従来の画像形成装置は、装置本体の前面に対しカバー部材が開方向及び閉方向に回動させて開閉可能なように取り付けられている。
【０００３】
そして画像形成装置は、装置本体の前面側に搬送部の搬送路を境にした一方の部分が設けられると共に、カバー部材内に当該搬送部の搬送路を境にした他方の部分が設けられている。
【０００４】
すなわち、画像形成装置には、装置本体の前面に対するカバー部材の開閉に応じて、搬送部が搬送路を境にして一方及び他方の部分を開閉可能なように設けられている。
【０００５】
これにより画像形成装置は、作業者により装置本体に対しカバー部材が閉位置まで回転して閉じられた場合、搬送部の一方及び他方の部分を合わせて当該装置本体とカバー部材との間に搬送路を形成し、その搬送部により搬送路を介してコピー用紙のようなシートを搬送していた。
【０００６】
また画像形成装置は、搬送路中に詰まったシートを取り除かせる場合や搬送路を清掃させる場合のような作業時、作業者に装置本体に対しカバー部材をメンテナンス用の選定開位置まで回転させて開かせる。
【０００７】
これにより画像形成装置は、その装置本体に対するカバー部材の開位置への比較的大きな開きに応じて搬送部の一方及び他方の部分を離隔させて搬送路を開放して、作業者に作業を行わせていた。
【０００８】
ところで、画像形成装置は、カバー部材内に搬送部の他方の部分として複数のローラ軸や、これらに取り付けられた複数の搬送ローラ等のようなシートを搬送するための種々の搬送用部品が設けられているため、当該カバー部材が比較的重くなっている。
【０００９】
このため画像形成装置は、装置本体に保持リンクのリンク一端部が枢着されると共に、当該保持リンクのリンク他端部に穿設された長孔に、カバー部材の側面の中央部に固定されたガイド部材のガイドピンが挿入されている。
【００１０】
また画像形成装置は、保持リンクのリンク一端に引張ばねのばね一端が係止されると共に、当該引張ばねのばね他端がカバー部材の側面においてガイドピンよりも上側の所定位置に係止されている。
【００１１】
よって画像形成装置は、装置本体に対しカバー部材が閉位置まで回転して閉じられた場合、ガイドピンを保持リンクの長孔内でリンク一端寄りに位置させて当該保持リンクのリンク他端を引張ばねのばね他端に近づけることにより、当該引張ばねを縮める。
【００１２】
これに対し画像形成装置は、装置本体に対しカバー部材が選定開位置まで回転して開かれた場合、ガイドピンを保持リンクの長孔内でリンク他端寄りに位置させて当該保持リンクのリンク他端を引張ばねのばね他端から遠ざけることにより、当該引張ばねを伸ばす。
【００１３】
これにより画像形成装置は、装置本体に対しカバー部材が選定開位置から閉じられる際、作業者に加わるカバー部材の自重を引張ばねの付勢力によって低減させて、当該作業者にカバー部材を軽快に閉じさせていた（例えば、特許文献１参照）。
【先行技術文献】
【特許文献】
【００１４】
【特許文献１】特開２００８−３０９９１２公報（第４頁、第５頁、第９頁、第１０頁、図３、図４、図５、図６）
【発明の概要】
【発明が解決しようとする課題】
【００１５】
ところが、係る構成の画像形成装置では、装置本体に対しカバー部材が選定開位置まで回転して開かれた場合、引張ばねが伸びるものの、その引張ばねの強度が、装置本体に対しカバー部材を自動的に閉方向に回転させるほどには強くない程度に選定されている。
【００１６】
従って画像形成装置では、装置本体に対しカバー部材が選定開位置まで回転して開かれた場合、作業者がカバー部材に手をかけて閉方向に回転させなければ、当該カバー部材を選定開位置に止めて比較的大きく開いたままにすることになる。
【００１７】
このため画像形成装置は、装置本体に対しカバー部材が選定開位置に開かれた状態で、例えば、作業者が作業のために動き回るような場合に、そのカバー部材が邪魔になり、また作業者がカバー部材に接触して破損させる等して作業効率が著しく低下するという問題があった。
【００１８】
本発明は以上の点を考慮してなされたもので、作業効率が低下することを防止し得る開閉装置、紙葉類搬送装置及び紙葉類取扱装置を提案しようとするものである。
【課題を解決するための手段】
【００１９】
かかる課題を解決するため本発明においては、第１筐体と、第１筐体に対し開方向及び閉方向に回動するようにして開閉可能に設けられた第２筐体と、第１筐体に対し第２筐体が閉位置から開方向に回転した際、第２筐体の閉方向への回転を半開位置で一旦停止させ、第２筐体が半開位置から開方向の作業用開位置まで回転して開かれた際、第２筐体に対する作業用開位置に開いたままにする押さえが解除されると、第２筐体を作業用開位置から閉方向の半開位置まで自動的に回転させる開閉制御部とを設け、開閉制御部を、第１筐体に対し第２筐体が閉位置から開方向の半開位置まで回転したときに、一端に第２筐体の開方向側の所定部分が当接するように配置し、第２筐体が半開位置から開方向の作業用開位置まで回転すると全体を縮めて第２筐体を閉方向へ回転させるように付勢するばねとした。
【００２０】
従って本発明では、第１筐体に対し第２筐体が作業用開位置まで開かれても、その第２筐体に対する作業用開位置に開いたままにする押さえを解除させるだけで、第１筐体に対して開いていた第２筐体が作業の邪魔になり、また作業者の怪我や第２筐体の破損をまねく等して作業が滞ることを格段的に簡易な構成で容易に回避することができる。
【発明の効果】
【００２１】
本発明によれば、第１筐体と、第１筐体に対し開方向及び閉方向に回動するようにして開閉可能に設けられた第２筐体と、第１筐体に対し第２筐体が閉位置から開方向に回転した際、第２筐体の閉方向への回転を半開位置で一旦停止させ、第２筐体が半開位置から開方向の作業用開位置まで回転して開かれた際、第２筐体に対する作業用開位置に開いたままにする押さえが解除されると、第２筐体を作業用開位置から閉方向の半開位置まで自動的に回転させる開閉制御部とを設け、開閉制御部を、第１筐体に対し第２筐体が閉位置から開方向の半開位置まで回転したときに、一端に第２筐体の開方向側の所定部分が当接するように配置し、第２筐体が半開位置から開方向の作業用開位置まで回転すると全体を縮めて第２筐体を閉方向へ回転させるように付勢するばねとしたことにより、第１筐体に対し第２筐体が作業用開位置まで開かれても、その第２筐体に対する作業用開位置に開いたままにする押さえを解除させるだけで、第１筐体に対して開いていた第２筐体が作業の邪魔になり、また作業者の怪我や第２筐体の破損をまねく等して作業が滞ることを格段的に簡易な構成で容易に回避することができ、かくして作業効率が低下することを防止し得る開閉装置、紙葉類搬送装置及び紙葉類取扱装置を実現することができる。
【図面の簡単な説明】
【００２２】
【図１】本発明による出納システムの全体構成を示す略線的斜視図である。
【図２】第１の実施の形態による紙幣入出金機の内部構成を示す略線的右側面図である。
【図３】紙幣入出金機における入出金機筐体からの紙幣収納ユニットの引き出しの説明に供する略線的右側面図である。
【図４】第１の実施の形態による開閉型搬送部の構成（１）を示す略線的右側面図である。
【図５】第１の実施の形態による開閉型搬送部の構成（２）を示す略線的左側面図である。
【図６】第１の実施の形態による開閉型搬送部の構成（３）を示す略線的右側面図である。
【図７】開閉制御部の構成（１）を示す略線的上面図である。
【図８】開閉制御部の構成（２）を示す略線的斜視図である。
【図９】開閉制御部の構成（３）を示す略線的斜視図である。
【図１０】第１ガイド部に対し第２ガイド部が半開の状態のときの開閉制御部の説明に供する略線的左側面図である。
【図１１】第１ガイド部に対し第２ガイド部が全開の状態のときの開閉制御部の説明に供する略線的左側面図である。
【図１２】第１ガイド部に対し第２ガイド部が閉じられた状態で入出金機筐体に紙幣収納ユニットが収納されたときの開閉型搬送部の説明に供する略線的左側面図である。
【図１３】第１ガイド部に対し第２ガイド部が半開の状態で入出金機筐体に紙幣収納ユニットが収納されたときの開閉型搬送部の説明に供する略線的左側面図である。
【図１４】第２の実施の形態による紙幣入出金機の内部構成を示す略線的右側面図である。
【図１５】第２の実施の形態による開閉型搬送部の構成を示す略線的左側面図である。
【図１６】開閉制御部の構成を示す略線的上面図である。
【図１７】第１ガイド部に対し第２ガイド部が半開の状態のときの開閉制御部の説明に供する略線的左側面図である。
【図１８】第１ガイド部に対し第２ガイド部が全開の状態のときの開閉制御部の説明に供する略線的左側面図である。
【図１９】第３の実施の形態による紙幣入出金機の内部構成を示す略線的右側面図である。
【図２０】第３の実施の形態による開閉型搬送部の構成を示す略線的左側面図である。
【図２１】第１ガイド部に対し第２ガイド部が半開の状態のときの圧縮コイルばねの説明に供する略線的左側面図である。
【図２２】第１ガイド部に対し第２ガイド部が全開の状態のときの圧縮コイルばねの説明に供する略線的左側面図である。
【図２３】他の実施の形態による開閉制御部の構成（１）を示す略線的左側面図である。
【図２４】他の実施の形態による開閉制御部の構成（２）を示す略線的上面図である。
【発明を実施するための形態】
【００２３】
以下図面を用いて、発明を実施するための最良の形態（以下、これを実施の形態とも呼ぶ）について説明する。なお、説明は以下の順序で行う。
（１）出納システムの全体構成
（２）第１の実施の形態
（３）第２の実施の形態
（４）第３の実施の形態
（５）他の実施の形態
【００２４】
（１）出納システムの全体構成
まず、本発明を適用した紙幣入出金機が設けられる出納システムの全体構成について説明する。そして、係る出納システムの全体構成を説明した後、実施の形態として紙幣入出金機の構成を具体的に説明する。
【００２５】
図１において、１は全体として出納システムを示す。係る出納システム１は、例えば、金融機関の営業店内で接客用カウンタの後方に設置され、金銭に関する入金や出金等の各種処理を総合的に実行可能なように構築されている。
【００２６】
この場合、出納システム１は、本発明を適用した紙幣入出金機２を有している。紙幣入出金機２は、紙幣を１枚単位で入出金するものである。
【００２７】
また出納システム１は、金種別の紙幣を所定枚数毎に施封して小束にした状態で収納し、また紙幣の小束を出金する施封小束支払機３も有している。
【００２８】
さらに出納システム１は、例えば、小売店や公共施設等に設置される図示しない現金自動預払機（ATM：Automatic  Teller  Machine）に着脱可能で、当該現金自動預払機で行われる取引用の紙幣を収納する補充回収カセットに紙幣を補充し、また補充回収カセットから紙幣を回収する紙幣補充回収機４も有している。
【００２９】
さらに出納システム１は、各金種の新券（すなわち、新札）を出金する新券支払機５、金種別の一定枚数毎に棒状に重ねて包まれた硬貨（すなわち、棒金）を出金するための棒金支払機６、及び硬貨を１枚単位で入出金する硬貨入出金機７も有している。
【００３０】
さらに出納システム１は、紙幣入出金機２や施封小束支払機３、紙幣補充回収機４、新券支払機５、棒金支払機６及び硬貨入出金機７で行われる入金や出金等の処理内容を認証して所定の帳票等に印字し排出する認証プリンタ８、及び現金以外の小切手や定期預金証書等の有価証券を取り込んで入金処理する現金外ポスト９も有している。
【００３１】
さらに出納システム１は、入金や出金等の各種処理に関する種々の情報を表示するディスプレイ１０、入金や出金等の各種処理に関する種々の情報や指示等を入力するためのキーボード１１、及び出納システム１全体を統括制御する制御装置１２も有している。
【００３２】
出納システム１は、これら各種装置の少なくとも一部については比較的自由に配置することができるものの、例えば、棒金支払機６、施封小束支払機３、紙幣補充回収機４、紙幣入出金機２、制御装置１２及び硬貨入出金機７が、各々の正面を同一方向に向けた姿勢で順に隣接させるようにして横一列に並べて配置されている。
【００３３】
因みに、以下の説明では、出納システム１全体を、棒金支払機６、施封小束支払機３、紙幣補充回収機４、紙幣入出金機２、制御装置１２及び硬貨入出金機７各々の同一方向を向く正面と対峙して見た場合の図中に矢印ａ１で示す方向を、左方向とも呼び、当該左方向とは逆の方向を、右方向とも呼ぶ。
【００３４】
また、以下の説明では、出納システム１全体を、棒金支払機６、施封小束支払機３、紙幣補充回収機４、紙幣入出金機２、制御装置１２及び硬貨入出金機７各々の同一方向を向く正面と対峙して見た場合の図中に矢印ｂ１で示す方向を、上方向とも呼び、当該上方向とは逆の方向を、下方向とも呼ぶ。
【００３５】
さらに、以下の説明では、出納システム１全体を、棒金支払機６、施封小束支払機３、紙幣補充回収機４、紙幣入出金機２、制御装置１２及び硬貨入出金機７各々の同一方向を向く正面と対峙して見た場合の図中に矢印ｃ１で示す方向（すなわち、各装置の正面が向く方向）を、前方向とも呼び、当該前方向とは逆の方向を、後方向とも呼ぶ。
【００３６】
また出納システム１は、例えば、紙幣補充回収機４の前上側に新券支払機５が組み込まれて一体化されていると共に、当該紙幣補充回収機４に認証プリンタ８が載置されている。
【００３７】
さらに出納システム１は、紙幣入出金機２にディスプレイ１０が正面を前方向に向けて載置されると共に、当該ディスプレイ１０の前にキーボード１１が載置されている。さらに出納システム１は、硬貨入出金機７に現金外ポスト９が載置されている。
【００３８】
そして出納システム１では、右方向に添って順次隣接させるようにして配置された施封小束支払機３、紙幣補充回収機４、及び紙幣入出金機２が、紙幣を左方向及び右方向に搬送する装置間搬送部によって接続されている。
【００３９】
これにより出納システム１は、施封小束支払機３、紙幣補充回収機４、及び紙幣入出金機２の間で、施封や補充、回収等の各種処理に用いる紙幣を適宜、装置間搬送部を介して搬送して受け渡すことができるようにしている。
【００４０】
（２）第１の実施の形態
（２−１）紙幣入出金機の構成
図２において、２Ａは全体として上述した紙幣入出金機２（図１）の具体例である第１の実施の形態による紙幣入出金機を示す。紙幣入出金機２Ａは、略箱型の筐体（以下、これを入出金機筐体とも呼ぶ）２０を有している。
【００４１】
入出金機筐体２０内には、例えば、上側の所定位置に、上述した制御装置１２からの指示のもとに、紙幣入出金機２Ａ全体を制御する制御部２１が配置されている。
【００４２】
また入出金機筐体２０には、例えば、正面２０Ａ上寄りに、出金用の紙幣を行員に引き渡すための紙幣引渡部２２、紙幣を返却するための紙幣返却部２３、及び行員から入金用の紙幣を受け取るための紙幣受取部２４が上から下へ順に配置されている。
【００４３】
さらに入出金機筐体２０内には、紙幣受取部２４の後側に、入金用の紙幣を鑑別するための入金紙幣鑑別部２５が配置されている。
【００４４】
さらに入出金機筐体２０内には、背面２０Ｂ近傍の上寄りに、破損している紙幣や折れ癖、曲がり癖がついている紙幣等のような異常な紙幣（以下、これを特にリジェクト紙幣とも呼ぶ）を収納するためのリジェクト庫２６が配置されている。
【００４５】
さらにまた入出金機筐体２０内には、中央部に、一時保留ユニット３０が収納されている。この場合、一時保留ユニット３０は、例えば、前後に長い略直方体の枠状の保留ユニット筐体３１を有している。
【００４６】
保留ユニット筐体３１内には、紙幣の金種別に用意された複数（例えば、４個）の一時保留部３２乃至３５が前から後へ順に配置されている。
【００４７】
また保留ユニット筐体３１内には、複数の一時保留部３２乃至３５よりも後（すなわち、最も後）に、出金用の紙幣を鑑別するための出金紙幣鑑別部３６も配置されている。
【００４８】
これに加え入出金機筐体２０内には、下側に、紙幣収納ユニット４０が収納されている。この場合、紙幣収納ユニット４０は、例えば、前後に長い略直方体状の収納ユニット筐体４１を有している。
【００４９】
収納ユニット筐体４１は、例えば、上端及び後端に、それぞれ当該収納ユニット筐体４１の枠を残すように開口部が形成されている。
【００５０】
また収納ユニット筐体４１内には、一時保留部３２乃至３５に対応させて紙幣の金種別に用意された複数（例えば、４個）の紙幣収納庫４２乃至４５が、その上端を当該一時保留部３２乃至３５の下端面に対向させて前から後へ順に配置されている。
【００５１】
そして入出金機筐体２０内には、紙幣受取部２４と入金紙幣鑑別部２５の紙幣取込口との間に、複数の搬送部（図示せず）が順に接続されて配置されている。
【００５２】
これにより入出金機筐体２０内には、これら複数の搬送部により、紙幣受取部２４から繰り出される紙幣を入金紙幣鑑別部２５へ搬送するための搬送路４７が形成されている。
【００５３】
また入出金機筐体２０内には、入金紙幣鑑別部２５の紙幣繰出口と紙幣返却部２３との間にも、複数の搬送部（図示せず）が順に接続されて配置されている。
【００５４】
これにより入出金機筐体２０内には、これら複数の搬送部により、入金紙幣鑑別部２５から繰り出される紙幣を紙幣返却部２３へ搬送するための搬送路４７が形成されている。
【００５５】
さらに入出金機筐体２０内には、入金紙幣鑑別部２５及び紙幣返却部２３間の搬送路４７の所定の分岐位置と各一時保留部３２乃至３５の上端部の紙幣取込口との間にも、複数の搬送部（図示せず）が順に接続されて配置されている。
【００５６】
これにより入出金機筐体２０内には、これら複数の搬送部により、入金紙幣鑑別部２５から繰り出される紙幣を、その分岐位置から一時保留ユニット３０内の上寄りを通して各一時保留部３２乃至３５へ搬送するための搬送路４７が形成されている。
【００５７】
さらに入出金機筐体２０内には、各紙幣収納庫４２乃至４５の下端部と出金紙幣鑑別部３６の紙幣取込口との間にも、複数の搬送部（後述する１つの搬送部５０以外は図示せず）が順に接続されて配置されている。
【００５８】
これにより入出金機筐体２０内には、これら複数の搬送部により、各紙幣収納庫４２乃至４５の下端部から繰り出される紙幣を、紙幣収納ユニット４０内の下寄りから後寄りを順に通して出金紙幣鑑別部３６へ搬送するための搬送路４７が形成されている。
【００５９】
さらに入出金機筐体２０内には、出金紙幣鑑別部３６の紙幣繰出口と紙幣引渡部２２との間にも、複数の搬送部（図示せず）が順に接続されて配置されている。
【００６０】
これにより入出金機筐体２０内には、これら複数の搬送部により、出金紙幣鑑別部３６から繰り出される紙幣を、紙幣引渡部２２へ搬送するための搬送路４７が形成されている。
【００６１】
さらに入出金機筐体２０内には、出金紙幣鑑別部３６及び紙幣引渡部２２間の搬送路４７の所定の分岐位置とリジェクト庫２６との間に例えば、１つの搬送部（図示せず）が配置されている。
【００６２】
これにより入出金機筐体２０内には、その搬送部により、出金紙幣鑑別部３６から繰り出される紙幣を、その分岐位置からリジェクト庫２６へ搬送するための搬送路４７が形成されている。
【００６３】
さらにまた入出金機筐体２０内には、入金紙幣鑑別部２５及び各一時保留部３２乃至３５間の搬送路４７の所定位置と、出金紙幣鑑別部３６及び紙幣引渡部２２間の搬送路４７の所定位置との間に例えば、１つの搬送部（図示せず）が配置されている。
【００６４】
これにより入出金機筐体２０内には、その搬送部により出金紙幣鑑別部３６から繰り出された紙幣を、各一時保留部３２乃至３５へ搬送するための搬送路４７が形成されている。
【００６５】
制御部２１は、係る構成のもと、紙幣の入金時、行員により紙幣受取部２４内に複数の紙幣が投入されると、当該紙幣受取部２４内から複数の紙幣を所定の紙幣繰出機構によって１枚ずつ繰り出し搬送路４７を介して入金紙幣鑑別部２５へ搬送して、当該入金紙幣鑑別部２５において紙幣の金種や状態等を鑑別させる。
【００６６】
その結果、制御部２１は、入金紙幣鑑別部２５から異常であると鑑別されて繰り出された紙幣については、リジェクト紙幣として搬送路４７を介し紙幣返却部２３へ搬送する。
【００６７】
これにより制御部２１は、そのリジェクト紙幣を紙幣返却部２３内に所定の紙幣取込機構によって取り込ませて、行員に当該紙幣返却部２３から取り出させるようにして返却する。
【００６８】
これに対し制御部２１は、入金紙幣鑑別部２５から正常であると鑑別されて繰り出された紙幣については、搬送路４７を介して当該紙幣の金種に応じた一時保留部３２乃至３５へ搬送する。
【００６９】
これにより制御部２１は、その紙幣を一時保留部３２乃至３５内に所定の紙幣取込機構によって取り込ませて順に積層させるようにして一時的に保持させ、かくして当該紙幣の入金を一時的に保留する。
【００７０】
そして制御部２１は、入金紙幣鑑別部２５において、紙幣受取部２４に投入された紙幣が全て鑑別されると、正常であると鑑別された紙幣の総額（すなわち、入金の金額）を、上述の制御装置１２経由でディスプレイ１０を介して行員に提示する。
【００７１】
その結果、制御部２１は、入金の金額を確認した行員により例えば、キーボード１１を介して紙幣の入金が指示されると、一時保留部３２乃至３５から一時的に保持していた紙幣を落下させるようにして真下の紙幣収納庫４２乃至４５に収納する。このようにして制御部２１は、紙幣の入金を行うことができる。
【００７２】
一方、制御部２１は、紙幣の出金時、行員により例えば、キーボード１１を介して出金の金額が指定されると、紙幣収納庫４２乃至４５から所定の紙幣繰出機構によって、その指定された金額分の紙幣を１枚ずつ繰り出し搬送路４７を介して出金紙幣鑑別部３６へ搬送して、当該出金紙幣鑑別部３６において紙幣の金種や状態等を鑑別させる。
【００７３】
その結果、制御部２１は、出金紙幣鑑別部３６から正常であると鑑別されて繰り出された紙幣については、搬送路４７を介して紙幣引渡部２２へ搬送し、当該紙幣引渡部２２内に所定の紙幣取込機構によって取り込む。
【００７４】
そして制御部２１は、紙幣引渡部２２へ、出金用に指定された金額分の紙幣を搬送し終えると、行員に当該紙幣引渡部２２から、その出金用に指定された金額分の紙幣を取り出させるようにして引き渡す。このようにして制御部２１は、紙幣の出金を行うことができる。
【００７５】
ただし、制御部２１は、この際、出金紙幣鑑別部３６により異常であると鑑別されて繰り出された紙幣については、リジェクト紙幣として搬送路４７を介してリジェクト庫２６へ搬送して、当該リジェクト庫２６内に所定の紙幣取込機構によって取り込む。
【００７６】
このようにして制御部２１は、紙幣の出金時、紙幣収納庫４２乃至４５から繰り出した紙幣の中でリジェクト紙幣を発見すると、そのリジェクト紙幣を分別してリジェクト庫２６に収納し、その後、出金には用いないようにする。
【００７７】
因みに、制御部２１は、紙幣の入金や出金とは別に、行員による例えば、キーボード１１を介した指示に応じて、各紙幣収納庫４２乃至４５に収納されている紙幣を計数することもできる。
【００７８】
すなわち、制御部２１は、紙幣の計数時、例えば、各紙幣収納庫４２乃至４５を、これに収納されている紙幣の計数に順番に用いるようにして、当該紙幣収納庫４２乃至４５から紙幣繰出機構によって紙幣を１枚ずつ繰り出し搬送路４７を介して出金紙幣鑑別部３６へ搬送して、当該出金紙幣鑑別部３６において紙幣の金種や状態等を鑑別させる。
【００７９】
その結果、制御部２１は、出金紙幣鑑別部３６から正常であると鑑別されて繰り出された紙幣については、搬送路４７を介して当該紙幣の金種に応じた一時保留部３２乃至３５（すなわち、このとき紙幣を繰り出した紙幣収納庫４２乃至４５の真上に位置する一時保留部３２乃至３５）へ搬送する。
【００８０】
これにより制御部２１は、その紙幣を一時保留部３２乃至３５内に紙幣取込機構によって取り込ませて順に積層させるようにして一時的に保持させる。
【００８１】
因みに、制御部２１は、この際、出金紙幣鑑別部３６により異常であると鑑別されて繰り出された紙幣については、リジェクト紙幣として上述の出金時と同様に搬送路４７を介してリジェクト庫２６へ搬送して収納する。
【００８２】
そして制御部２１は、出金紙幣鑑別部３６において、各紙幣収納庫４２乃至４５にそれぞれ収納されていた紙幣が全て鑑別されると、正常であると鑑別された紙幣の総額を、上述の制御装置１２経由でディスプレイ１０を介して行員に提示する。
【００８３】
その結果、制御部２１は、行員により例えば、キーボード１１を介して紙幣の総額が確認されたことが通知されると、一時保留部３２乃至３５から一時的に保持していた紙幣を落下させるようにして真下の紙幣収納庫４２乃至４５に再び収納する。このようにして制御部２１は、紙幣の計数を行うことができる。
【００８４】
なお、入出金機筐体２０内には、例えば、背面２０Ｂ側上寄りに上述の装置間搬送部（図示せず）が配置されている。これにより制御部２１は、紙幣補充回収機４から紙幣（すなわち、補充回収カセットから回収された紙幣）が鑑別された後、装置間搬送部を介して搬送されると、その紙幣を搬送路４７を介して一時保留部３２乃至３５へ搬送し、これら一時保留部３２乃至３５を介して紙幣収納庫４２乃至４５に収納する。
【００８５】
また制御部２１は、各紙幣収納庫４２乃至４５から繰り出した紙幣を、出金紙幣鑑別部３６で鑑別した後、装置間搬送部を介して施封小束支払機３や紙幣補充回収機４へ搬送する。
【００８６】
このようにして制御部２１は、紙幣補充回収機４により補充回収カセットから回収された紙幣を保管し、また紙幣補充回収機４に補充回収カセットに補充するための紙幣を供給し、さらに施封小束支払機３に施封して小束にするための紙幣を供給することができる。
【００８７】
ところで、紙幣収納ユニット４０の収納ユニット筐体４１内には、上述した搬送路４７の一部を形成し、当該搬送路４７の一部を境にして開閉可能に構成された１つの搬送部５０が、複数の紙幣収納庫４２乃至４５よりも後（すなわち、最も後）に配置されている。
【００８８】
因みに、以下の説明では、自身が形成する搬送路４７の一部を境にして開閉可能に構成された搬送部５０を、特に開閉型搬送部５０とも呼び、当該開閉型搬送部５０が形成する搬送路４７の一部を区間搬送路とも呼ぶ。
【００８９】
そして図３に示すように、紙幣収納ユニット４０は、収納ユニット筐体４１の左側面及び右側面にそれぞれ可動レール４８が後方向と平行に取り付けられている。
【００９０】
また入出金機筐体２０の左右の側面の内側下端部には、それぞれ収納ユニット筐体４１の可動レール４８に対向させてレールガイド４９が後方向と平行に配置され、これらレールガイド４９に当該可動レール４８が係合されている。
【００９１】
これにより入出金機筐体２０は、左右のレールガイド４９、及びこれに係合された可動レール４８を介して紙幣収納ユニット４０を前方向及び後方向にスライド可能に保持している。
【００９２】
よって紙幣入出金機２Ａは、開閉型搬送部５０の区間搬送路に紙幣が詰まる、いわゆるジャムが発生して、その区間搬送路からジャムとなった紙幣（以下、これをジャム紙幣とも呼ぶ）を取り除かせる場合や、当該区間搬送路を清掃する場合等のような作業時、紙幣収納ユニット４０全体を入出金機筐体２０内から正面２０Ａの前に引き出させる。
【００９３】
そのうえで、紙幣入出金機２Ａは、開閉型搬送部５０を開かせて区間搬送路を開放することにより、当該空間搬送路からジャム紙幣を取り除かせ、また区間搬送路を清掃させる等のような作業を行わせることができる。
【００９４】
そして紙幣入出金機２Ａは、開閉型搬送部５０に対する作業が終了すると、当該開閉型搬送部５０を閉じさせたうえで紙幣収納ユニット４０全体を入出金機筐体２０内に押し込むようにして収納させることができる。
【００９５】
（２−２）開閉型搬送部の構成
次いで、開閉型搬送部５０の構成について具体的に説明する。図４乃至図６に示すように、開閉型搬送部５０は、第１ガイド部５１と、第２ガイド部５２と、これら第１ガイド部５１及び第２ガイド部５２を支持するガイド支持部５３とを有している。
【００９６】
ガイド支持部５３は、例えば、略コ字状に形成されており、底板５３Ａの幅が、紙幣の搬送姿勢に応じて選定されている。
【００９７】
すなわち、ガイド支持部５３の底板５３Ａの幅は、例えば、紙幣入出金機２Ａが紙幣を、一方の長辺を搬送方向に向けて搬送するように構成される場合、当該紙幣の長辺の長さよりも長い所定長さに選定されている。
【００９８】
これに対しガイド支持部５３の底板５３Ａの幅は、例えば、紙幣入出金機２Ａが紙幣を、一方の短辺を搬送方向に向けて搬送するように構成される場合、当該紙幣の短辺の長さよりも長いものの長辺の長さよりも短い所定長さに選定されている。
【００９９】
そしてガイド支持部５３は、収納ユニット筐体４１内に、底板５３Ａを当該収納ユニット筐体４１の底板４１Ａに当接させて、底板５３Ａの幅方向の両端に設けられた一対の平行な支持板５３Ｂ、５３Ｃを右方向に添って並べるようにして配置されている。
【０１００】
すなわち、ガイド支持部５３は、収納ユニット筐体４１内に底板５３Ａの幅方向を右方向と平行にして、一方の支持板５３Ｂを左側に位置させると共に、他方の支持板５３Ｃを右側に位置させて配置されている。
【０１０１】
因みに、以下の説明では、ガイド支持部５３において左側に位置する支持板５３Ｂを、左支持板５３Ｂとも呼び、右側に位置する支持板５３Ｃを、右支持板５３Ｃとも呼ぶ。
【０１０２】
これに加えガイド支持部５３の左支持板５３Ｂ及び右支持板５３Ｃには、中央部前寄りの所定の対向位置にそれぞれ軸受用孔部が穿設されている。
【０１０３】
また第１ガイド部５１は、例えば、略コ字状の第１筐体（以下、これを第１ガイド筐体とも呼ぶ）５５を有し、当該第１ガイド筐体５５の図示しない胴体板の幅が、ガイド支持部５３の底板５３Ａの幅よりも僅かに短く選定されている。
【０１０４】
すなわち、第１ガイド筐体５５の胴体板の幅は、例えば、紙幣入出金機２Ａが紙幣を、一方の長辺を搬送方向に向けて搬送するように構成される場合、ガイド支持部５３の底板５３Ａの幅よりも僅かに短いものの、当該紙幣の長辺の長さ以上の所定の長さに選定されている。
【０１０５】
これに対し第１ガイド筐体５５の胴体板の幅は、例えば、紙幣入出金機２Ａが紙幣を、一方の短辺を搬送方向に向けて搬送するように構成される場合、ガイド支持部５３の底板５３Ａの幅よりも僅かに短いものの、当該紙幣の短辺の長さ以上の所定の長さに選定されている。
【０１０６】
さらに第１ガイド筐体５５は、胴体板の幅方向の両端に設けられた一対の平行な側板５５Ａ、５５Ｂが略への字平板状に形成されている。
【０１０７】
この場合、第１ガイド筐体５５において一対の側板５５Ａ、５５Ｂは、例えば、一端部から中央部までの短冊状の部分において、当該中央部から他端部が斜めに伸びている側の直線状の縁に胴体板の両端が接合されている。
【０１０８】
これにより第１ガイド筐体５５は、一対の側板５５Ａ、５５Ｂにおいて一端部から中央部までの短冊状の部分を胴体板の一面側に突出させると共に、当該一対の側板５５Ａ、５５Ｂにおいて中央部から斜めに伸びている他端部を胴体板の他面側に突出させている。
【０１０９】
さらに第１ガイド筐体５５は、一対の側板５５Ａ、５５Ｂの間に、紙幣を搬送するための例えば、複数のローラ軸や、これら複数のローラ軸に所定個数ずつ取り付けられた搬送ローラ、板状の搬送ガイド等のような図示しない種々の搬送用部品が設けられている。
【０１１０】
因みに、複数のローラ軸は、一対の側板５５Ａ、５５Ｂの間に、当該ローラ軸の長手方向を第１ガイド筐体５５の胴体板の幅方向と平行にし、かつ一対の側板５５Ａ、５５Ｂにおける胴体板に接合されている側とは反対側の一端隅部から他端隅部に亘る略への字状の縁５５ＡＸ、５５ＢＸに沿って所定の間隔で設けられている。
【０１１１】
これにより複数のローラ軸は、個々の搬送ローラの周側面の一部を、第１ガイド筐体５５の一対の側板５５Ａ、５５Ｂの間の空間よりも外側（すなわち、第１ガイド筐体５５の一対の側板５５Ａ、５５Ｂの縁５５ＡＸ、５５ＢＸの外側）に僅かに突出させている。
【０１１２】
また搬送ガイドは、第１ガイド筐体５５の一対の側板５５Ａ、５５Ｂの縁５５ＡＸ、５５ＢＸに添って、当該縁５５ＡＸ、５５ＢＸよりも外側に突出しないように設けられている。
【０１１３】
そして第１ガイド部５１は、第１ガイド筐体５５の胴体板の幅方向を右方向と平行にして一対の側板５５Ａ、５５Ｂの一端を真上に向け、かつ他端を前斜め下に向けた姿勢で、第１ガイド筐体５５の一対の第１ガイド筐体側面となる当該一対の側板５５Ａ、５５Ｂの外面において中央部下寄りの所定位置が、ガイド支持部５３の左支持板５３Ｂ及び右支持板５３Ｃの内面上寄りに接合されている。
【０１１４】
これによりガイド支持部５３は、第１ガイド部５１を、第１ガイド筐体５５の一方の側板５５Ａを左側に位置させると共に、他方の側板５５Ｂを右側に位置させて支持（固定）している。
【０１１５】
因みに、以下の説明では、第１ガイド筐体５５において左側に位置する一方の側板５５Ａを、第１ガイド左側板５５Ａとも呼び、右側に位置する他方の側板５５Ｂを、第１ガイド右側板５５Ｂとも呼ぶ。
【０１１６】
また、以下の説明では、第１ガイド筐体５５の第１ガイド左側板５５Ａにおいて胴体板に接合されている側とは反対側の一端隅部から他端隅部に亘る略への字状の縁５５ＡＸを、第１ガイド左後縁５５ＡＸとも呼ぶ。
【０１１７】
さらに、以下の説明では、第１ガイド筐体５５の第１ガイド右側板５５Ｂにおいて胴体板に接合されている側とは反対側の一端隅部から他端隅部に亘る略への字状の縁５５ＢＸを、第１ガイド右後縁５５ＢＸとも呼ぶ。
【０１１８】
一方、第２ガイド部５２は、例えば、略コ字状の第２筐体（以下、これを第２ガイド筐体とも呼ぶ）５６を有し、当該第２ガイド筐体５６の図示しない胴体板の幅が、第１ガイド筐体５５の胴体板の幅と等しく選定されている。
【０１１９】
また第２ガイド筐体５６は、胴体板の幅方向の両端に設けられた一対の平行な側板５６Ａ、５６Ｂが略への字平板状に形成されている。
【０１２０】
この場合、第２ガイド筐体５６において一対の側板５６Ａ、５６Ｂは、例えば、一端部から中央部までの短冊状の部分において、当該中央部から他端部が斜めに伸びている側とは反対側の直線状の縁に胴体板の両端が接合されている。
【０１２１】
これにより第２ガイド筐体５６は、一対の側板５６Ａ、５６Ｂ全体（すなわち一端部から中央部までの短冊状の部分、及び当該中央部から斜めに伸びる他端部）を胴体板の一面側に突出させている。
【０１２２】
さらに第２ガイド筐体５６は、当該第２ガイド筐体５６の一対の第２ガイド筐体側面となる一対の側板５６Ａ、５６Ｂの外面において他端寄りの所定位置にそれぞれ回動軸５７、５８が、胴体板の幅方向と平行な１の仮想線上に位置させて植設されている。
【０１２３】
そして第２ガイド筐体５６にも、一対の側板５６Ａ、５６Ｂの間に、紙幣を搬送するための例えば、複数のローラ軸や、これら複数のローラ軸に所定個数ずつ取り付けられた搬送ローラ、板状の搬送ガイド等のような図示しない種々の搬送用部品が設けられている。
【０１２４】
因みに、複数のローラ軸は、一対の側板５６Ａ、５６Ｂの間に、当該ローラ軸の長手方向を第２ガイド筐体５６の胴体板の幅方向と平行にし、かつ一対の側板５６Ａ、５６Ｂにおける胴体板に接合されている側とは反対側の一端隅部から他端隅部に亘る略への字状の縁５６ＡＸ、５６ＢＸに沿って所定の間隔で設けられている。
【０１２５】
これにより複数のローラ軸は、個々の搬送ローラの周側面の一部を、第２ガイド筐体５６の一対の側板５６Ａ、５６Ｂの間の空間よりも外側（すなわち、第２ガイド筐体５６の一対の側板５６Ａ、５６Ｂの縁５６ＡＸ、５６ＢＸの外側）に僅かに突出させている。
【０１２６】
また搬送ガイドは、第２ガイド筐体５６の一対の側板５６Ａ、５６Ｂの縁５６ＡＸ、５６ＢＸに添って、当該縁５６ＡＸ、５６ＢＸよりも外側に突出しないように設けられている。
【０１２７】
そして第２ガイド部５２は、第２ガイド筐体５６の胴体板の幅方向を右方向と平行にして一対の側板５６Ａ、５６Ｂの一端を上側に向け、かつ他端を前斜め下側に向けた姿勢で、一方の側板５６Ａの回動軸５７が、ガイド支持部５３の左支持板５３Ｂの軸受用孔部に当該左支持板５３Ｂの内面側から挿入されている。
【０１２８】
また第２ガイド部５２は、係る姿勢で、第２ガイド筐体５６の他方の側板５６Ｂの回動軸５８が、ガイド支持部５３の右支持板５３Ｃの軸受用孔部に当該右支持板５３Ｃの内面側から挿入されている。
【０１２９】
これによりガイド支持部５３は、第２ガイド部５２を、第２ガイド筐体５６の一方の側板５６Ａを左側に位置させると共に、他方の側板５６Ｂを右側に位置させ、回動軸５７、５８を中心にして図中に矢印ｄ１で示す一回転方向、及びこれとは逆の他回転方向に回動可能に支持している。
【０１３０】
すなわち、ガイド支持部５３は、第１ガイド部５１を固定したまま、当該第１ガイド部５１に対し第２ガイド部５２を開閉可能に支持している。
【０１３１】
因みに、以下の説明では、第２ガイド筐体５６において左側に位置する一方の側板５６Ａを、第２ガイド左側板５６Ａとも呼び、右側に位置する他方の側板５６Ｂを、第２ガイド右側板５６Ｂとも呼ぶ。
【０１３２】
また、以下の説明では、第２ガイド筐体５６の第２ガイド左側板５６Ａにおいて胴体板に接合されている側とは反対側の一端隅部から他端隅部に亘る略への字状の縁５６ＡＸを、第２ガイド左前縁５６ＡＸとも呼ぶ。
【０１３３】
さらに、以下の説明では、第２ガイド筐体５６の第２ガイド右側板５６Ｂにおいて胴体板に接合されている側とは反対側の一端隅部から他端隅部に亘る略への字状の縁５６ＢＸを、第２ガイド右前縁５６ＢＸとも呼ぶ。
【０１３４】
さらに、以下の説明では、第２ガイド筐体５６の第２ガイド左側板５６Ａにおいて胴体板に接合されている側の一端隅部から他端隅部に亘る略への字状の縁５６ＡＹを、第２ガイド左後縁５６ＡＹとも呼ぶ。
【０１３５】
さらにまた、以下の説明では、第２ガイド筐体５６の第２ガイド右側板５６Ｂにおいて胴体板に接合されている側の一端隅部から他端隅部に亘る略への字状の縁５６ＢＹを、第２ガイド右後縁５６ＢＹとも呼ぶ。
【０１３６】
ところで、開閉型搬送部５０（図４及び図５）は、第２ガイド部５２を他回転方向へは、第１ガイド左後縁５５ＡＸに第２ガイド左前縁５６ＡＸを近接させ、かつ第１ガイド右後縁５５ＢＸに第２ガイド右前縁５６ＢＸを近接させて、第１ガイド部５１に対し当該第２ガイド部５２を閉じる閉位置まで回転させることができる。
【０１３７】
実際に開閉型搬送部５０は、第１ガイド部５１に対し第２ガイド部５２が他回転方向の閉位置まで回転して閉じられると、当該第２ガイド部５２の複数の搬送ローラを、第１ガイド部５１の対向する搬送ローラに押し付ける。
【０１３８】
また開閉型搬送部５０は、この際、第２ガイド部５２の搬送ガイドの一面を、第１ガイド部５１の対向する搬送ガイドの一面に、紙幣の厚みよりも僅かに広い所定の隙間を空けて近接させる。
【０１３９】
さらに開閉型搬送部５０は、第１ガイド部５１に対し第２ガイド部５２が他回転方向の閉位置まで回転して閉じられた場合は、図示しないロック機構により第２ガイド部５２を第１ガイド部５１に対して閉じた状態（すなわち、閉位置に止めた状態）にロックさせることができる。
【０１４０】
よって開閉型搬送部５０は、第２ガイド部５２が第１ガイド部５１に対して閉じた状態にロックされると、当該第１ガイド部５１及び第２ガイド部５２の対向する搬送ローラ同士を押し付けた状態、及び対向する搬送ガイド同士を近接させた状態を維持する。
【０１４１】
これにより開閉型搬送部５０は、第１ガイド部５１と第２ガイド部５２との間に、これら複数の搬送ローラ及び複数の搬送ガイドにより上述の搬送路４７の一部である区間搬送路を形成することができる。
【０１４２】
そして開閉型搬送部５０は、このように第１ガイド部５１と第２ガイド部５２との間に区間搬送路を形成すると、その区間搬送路を介して紙幣を搬送することができる。
【０１４３】
すなわち、開閉型搬送部５０は、このように区間搬送路を形成した状態で制御部２１により図示しないモータを介して例えば、第１ガイド部５１の複数のローラ軸が回転駆動されると、これに応じて当該第１ガイド部５１において複数のローラ軸と共に複数の搬送ローラを他回転方向に回転させる。
【０１４４】
また開閉型搬送部５０は、この際、第１ガイド部５１における複数の搬送ローラの他回転方向への回転に連動させて、これら複数の搬送ローラが押し付けられている第２ガイド部５２の複数の搬送ローラをローラ軸と共に一回転方向へ回転させる。
【０１４５】
この状態で開閉型搬送部５０は、紙幣収納庫４２乃至４５から順次１枚ずつ繰り出されて後方向へ搬送された紙幣を、区間搬送路の前側の一端に位置する第１ガイド部５１の複数の搬送ローラと第２ガイド部５２の対向する複数の搬送ローラとの間に挟み込むように取り込む。
【０１４６】
また開閉型搬送部５０は、その紙幣を区間搬送路の一端から上側の他端に沿って第１ガイド部５１の複数の搬送ローラと第２ガイド部５２の対向する複数の搬送ローラとの間で順に挟み込んでは押し出すようにして走行させる。
【０１４７】
そして開閉型搬送部５０は、区間搬送路の他端に位置する第１ガイド部５１の複数の搬送ローラと第２ガイド部５２の対向する複数の搬送ローラとの間から、これに挟み込んだ紙幣を上側に押し出して出金紙幣鑑別部３６へ送る。
【０１４８】
このようにして開閉型搬送部５０は、紙幣収納庫４２乃至４５側から搬送される紙幣を、区間搬送路を介して出金紙幣鑑別部３６側へ搬送することができる。
【０１４９】
また開閉型搬送部５０（図６）は、例えば、第２ガイド部５２を一回転方向へは、第２ガイド筐体５６の胴体板の下端と共に第２ガイド左後縁５６ＡＹ及び第２ガイド右後縁５６ＢＹの屈曲部を収納ユニット筐体４１の底板４１Ａに当接させて、第１ガイド部５１に対し当該第２ガイド部５２を目一杯開く開位置（以下、これを特に全開位置とも呼ぶ）まで回転させることができる。
【０１５０】
因みに、第２ガイド左後縁５６ＡＹ及び第２ガイド右後縁５６ＢＹの屈曲部は、当該第２ガイド左後縁５６ＡＹ及び第２ガイド右後縁５６ＢＹにおいて、第２ガイド左側板５６Ａ及び第２ガイド右側板５６Ｂの中央部と他端部との境界部分となる角部である。
【０１５１】
これにより開閉型搬送部５０は、第１ガイド部５１と第２ガイド部５２との間に十分な作業スペースを確保して、ジャムの取り除きや搬送ローラの清掃等の作業を行わせることができる。
【０１５２】
そして開閉型搬送部５０には、第１ガイド部５１に対する第２ガイド部５２の開閉を検出するための例えば、コ字状の光センサ５９Ａと、角棒状の検知レバー５９Ｂとからなる開閉検出器５９が設けられている。
【０１５３】
光センサ５９Ａは、例えば、第１ガイド左側板５５Ａの外面の所定位置に、一対の腕部の先端を後方向に向け、かつ第１ガイド左後縁５５ＡＸと面一にして配置されている。
【０１５４】
また検知レバー５９Ｂは、例えば、第２ガイド左側板５６Ａの外面の所定位置に、先端部を第２ガイド左前縁５６ＡＸから前側へ突出させて、第１ガイド部５１に対し第２ガイド部５２が閉じられたとき当該先端部を光センサ５９Ａの一対の腕部の間に入り込ませるように配置されている。
【０１５５】
この場合、光センサ５９Ａは、例えば、一方の腕部に発光素子が設けられると共に、他方の腕部に当該発光素子から発射される発射光を受光する受光素子が設けられている。
【０１５６】
そして光センサ５９Ａは、第１ガイド部５１に対する第２ガイド部５２の開閉に応じて信号レベルを変化させる開閉検出信号を上述の制御部２１に送出する。
【０１５７】
すなわち、光センサ５９Ａは、第１ガイド部５１に対し第２ガイド部５２が閉じられている間は、発光素子から発射している発射光が検知レバー５９Ｂにより遮られて受光素子で受光し得なくなることで、例えば、開閉検出信号の信号レベルを論理「Ｌ」レベルに立ち下げる。
【０１５８】
また光センサ５９Ａは、第１ガイド部５１に対し第２ガイド部５２が開かれている間は、発光素子から発射している発射光を検知レバー５９Ｂにより遮られることなく受光素子で受光し得ることで、例えば、開閉検出信号の信号レベルを論理「Ｈ」レベルに立ち上げる。
【０１５９】
よって制御部２１は、開閉検出器５９の光センサ５９Ａから与えられる開閉検出信号の信号レベルに基づき、第１ガイド部５１に対する第２ガイド部５２の開閉の有無を検出することができる。
【０１６０】
これにより制御部２１は、例えば、入出金機筐体２０から紙幣収納ユニット４０が引き出されて開閉型搬送部５０に対する作業が行われた後、第１ガイド部５１に対し第２ガイド部５２が開かれたまま、紙幣収納ユニット４０が入出金機筐体２０内に収納された場合は、上述の制御装置１２経由でディスプレイ１０を介して作業者に、第１ガイド部５１に対し第２ガイド部５２が開かれたままであることを通知することができる。
【０１６１】
係る構成に加え開閉型搬送部５０には、第１ガイド筐体５５の第１ガイド左側板５５Ａから第２ガイド筐体５６の第２ガイド左側板５６Ａに亘り、第１ガイド部５１に対する第２ガイド部５２の開閉を制御する開閉制御部６０が設けられている。
【０１６２】
図５と共に図７乃至図９に示すように、開閉制御部６０は、第１ガイド筐体５５の第１ガイド左側板５５Ａに取り付けられる第１ブラケット６１と、第２ガイド筐体５６の第２ガイド左側板５６Ａに取り付けられる第２ブラケット６２とを有している。
【０１６３】
第１ブラケット６１は、支持板（以下、これを第１支持板とも呼ぶ）６１Ａとガイド当接板６１Ｂとが連結板６１Ｃの両端に接合されて、当該第１支持板６１Ａとガイド当接板６１Ｂとを所定の間隔を空けて対向させた略コ字状に形成されている。
【０１６４】
そして第１ブラケット６１は、第１ガイド筐体５５の第１ガイド左側板５５Ａに対し、当該第１ガイド左側板５５Ａの外面の一端部にガイド当接板６１Ｂの外面を接合するようにして取り付けられている。
【０１６５】
この場合、第１ブラケット６１において第１支持板６１Ａは、支持板後端部がガイド当接板６１Ｂ（すなわち、第１ガイド左側板５５Ａ）とほぼ平行で、支持板前端部が左方向へほぼ直角に屈曲されている。
【０１６６】
また第１ブラケット６１において第１支持板６１Ａは、支持板後端部の後下隅部分が、後上隅部分よりも後側に張り出して、当該後下隅部分を第１ガイド左側板５５Ａの第１ガイド左後縁５５ＡＸよりも後側に突出させている。
【０１６７】
そして第１支持板６１Ａの支持板後端部には、後下隅部分から前斜め上方向へ向けて（すなわち、後側よりも前側を上げるように傾斜させて）、所定の幅を有する長細いほぼ直線状の支持孔部６１ＡＸが穿設されている。
【０１６８】
因みに、以下の説明では、第１支持板６１Ａの支持板後端部に穿設された支持孔部６１ＡＸを、第１支持孔部６１ＡＸとも呼ぶ。
【０１６９】
一方、第２ブラケット６２は、略短冊状の肩部の一方の縁の中央よりも一端寄りに胴体部が突設されて略Ｔ字状に形成された支持板（以下、これを第２支持板とも呼ぶ）６２Ａを有している。
【０１７０】
また第２ブラケット６２において第２支持板６２Ａには、肩部の一端にＬ字状の脚部６２Ｂが、当該第２支持板６２Ａの一面側に突出するように設けられ、その脚部６２Ｂの底面を第２支持板６２Ａの一面と平行にしている。
【０１７１】
さらに第２ブラケット６２において第２支持板６２Ａには、肩部の他方の縁に突当板６２Ｃが、当該第２支持板６２Ａの一面側に垂直に（すなわち、第２支持板６２Ａの一面に対して垂直に）突出するように設けられている。
【０１７２】
そして第２ブラケット６２は、第２ガイド筐体５６の胴体板に突当板６２Ｃを突き当てて第２支持板６２Ａの一面全体を、第２ガイド左側板５６Ａの外面と平行にして対向させている。
【０１７３】
そのうえで第２ブラケット６２は、第２ガイド筐体５６の第２ガイド左側板５６Ａに対し、当該第２ガイド左側板５６Ａの外面の一端部に脚部６２Ｂの底面を接合するようにして取り付けられている。
【０１７４】
この場合、第２ブラケット６２は、脚部６２Ｂにおいて底面から第２支持板６２Ａまでの、当該第２支持板６２Ａの一面に対して垂直な部分の長さが適宜選定されている。
【０１７５】
これにより第２ブラケット６２は、第２支持板６２Ａを第１ブラケット６１の第１支持板６１Ａの支持板後端部と平行にして、当該第１支持板６１Ａの支持板後端部よりも僅かに左側に位置させている。
【０１７６】
また第２ブラケット６２は、第２支持板６２Ａにおいて肩部に対する胴体部の長さ、及び当該胴体部の突設位置が適宜選定されている。
【０１７７】
これにより第２ブラケット６２は、第２支持板６２Ａの胴体部を第２ガイド左側板５６Ａの第２ガイド左前縁５６ＡＸよりも前側に突出させている。
【０１７８】
そして第２ブラケット６２は、第１ガイド部５１に対し第２ガイド部５２が他回転方向の閉位置まで回転して閉じられた場合、第２支持板６２Ａの胴体部を第１ブラケット６１の第１支持孔部６１ＡＸの支持板後端部の左斜め下に位置させている。
【０１７９】
さらに第２支持板６２Ａには、胴体部の先端近傍から肩部の中央部に亘り例えば、第１ブラケット６１の第１支持孔部６１ＡＸの幅と等しい幅を有し、回動軸５７を中心とする所定半径の円を基準とした円弧状の（すなわち、回動軸５７を中心とする所定半径の円の円周の一部である円弧に沿った）長細い支持孔部６２ＡＸが穿設されている。
【０１８０】
因みに、以下の説明では、第２支持板６２Ａに穿設された支持孔部６２ＡＸを、第２支持孔部６２ＡＸとも呼ぶ。
【０１８１】
そして第２支持板６２Ａには、肩部の他端前隅に、ばね係止部（以下、これを第２ばね係止部とも呼ぶ）６２Ｄが当該第２支持板６２Ａの他面側に突出するように設けられている。
【０１８２】
また開閉制御部６０は、例えば、細長い平板状のリンクレール６３を有している。リンクレール６３は、一面の一端部に所定長さの円柱でなる第１ポスト６４が植設されると共に、当該一面の他端部に第１ポスト６４よりも短い円柱でなる第２ポスト６５が植設されている。
【０１８３】
この場合、リンクレール６３の第１ポスト６４は、先端部が第１ブラケット６１の第１支持孔部６１ＡＸの幅よりも僅かに短い所定の直径を有するように形成されると共に、根元部が当該第１支持孔部６１ＡＸの幅よりも太く（すなわち、先端部よりも一回り太く）形成されている。
【０１８４】
またリンクレール６３の第２ポスト６５は、第１ポスト６４の先端部の直径と等しい直径を有するように形成されている。
【０１８５】
そしてリンクレール６３は、第２ポスト６５が、第２支持板６２Ａの左側（すなわち、他面側）から第２支持孔部６２ＡＸに挿入されている。
【０１８６】
そのうえでリンクレール６３は、第２支持板６２Ａの右側（すなわち、一面側）で第２ポスト６５の先端に、第２支持孔部６２ＡＸの幅よりも大きい直径を有する例えば、円板状の抜止部６６が取り付けられている。
【０１８７】
そしてリンクレール６３は、第２ポスト６５の長さが適宜選定されている。これにより第２ブラケット６２は、リンクレール６３を第２支持板６２Ａと平行にした状態で、第２ポスト６５を第２支持孔部６２ＡＸにより当該第２支持孔部６２ＡＸの孔部前端及び孔部後端へ移動可能に支持している。
【０１８８】
またリンクレール６３は、第１ポスト６４の先端部が、第１支持板６１Ａの支持板後端部の左側から第１支持孔部６１ＡＸに挿入されている。
【０１８９】
そのうえでリンクレール６３は、第１支持板６１Ａの支持板後端部の右側で第１ポスト６４の先端に、第１支持孔部６１ＡＸの幅よりも大きい直径を有する例えば、円板状の抜止部６７が取り付けられている。
【０１９０】
すなわち、リンクレール６３は、第１ポスト６４の先端部を第１ブラケット６１の第１支持孔部６１ＡＸに挿入した状態で、当該第１ポスト６４の根元部を第１支持板６１Ａの支持板後端部の左側に位置させると共に、抜止部６７を第１支持板６１Ａの支持板後端部の右側に位置させている。
【０１９１】
そしてリンクレール６３は、第１ポスト６４の根元部及び先端部の長さがそれぞれ適宜選定されている。これにより第１ブラケット６１は、第２支持板６２Ａと平行なリンクレール６３を第１支持板６１Ａの支持板後端部とも平行にした状態で、第１ポスト６４を第１支持孔部６１ＡＸにより当該第１支持孔部６１ＡＸの孔部前端及び孔部後端へ移動可能に支持している。
【０１９２】
このようにして開閉制御部６０は、リンクレール６３を介して第１ブラケット６１及び第２ブラケット６２を連結している。
【０１９３】
そしてリンクレール６３は、第２ガイド部５２が第１ガイド部５１に対し閉じた状態にロックされた場合、第２ポスト６５を第２支持孔部６２ＡＸの孔部後端に突き当てると共に、第１ポスト６４の先端部を第１支持孔部６２ＡＸの孔部前端に当接させ、又は近接させるように、長さと共に一端部及び他端部における第１ポスト６４及び第２ポスト６５の取付位置が適宜選定されている。
【０１９４】
またリンクレール６３は、他面の一端部に、ばね係止部（以下、これを第１ばね係止部とも呼ぶ）６８が植設されている。
【０１９５】
そして開閉制御部６０は、自然長やバネ定数等が適宜選定された圧縮コイルばね６９も有している。圧縮コイルばね６９は、一端が、リンクレール６３の第１ばね係止部６８に穿設された係止孔部を介して当該第１ばね係止部６８に係止されている。
【０１９６】
また圧縮コイルばね６９は、他端が、第２ブラケット６２の第２ばね係止部６２Ｄに穿設された係止孔部を介して当該第２ばね係止部６２Ｄに係止されている。
【０１９７】
ここで、第２ガイド部５２は、上述のように種々の搬送用部品が設けられていることにより、自重（すなわち、第２ガイド部５２全体の重さであり、これをガイド部自重とも呼ぶ）が比較的重くなっている。
【０１９８】
また第２ガイド部５２は、一端部（すなわち、上側の端部）から中央部までの重さが、ガイド部自重のほとんどを占めている。
【０１９９】
そして第２ガイド部５２は、ガイド支持部５３により、ガイド部自重のほとんどを占める一端部及び中央部よりも前側の斜め下に設けられ回動軸５７、５８を中心にして一回転方向及び他回転方向に回動可能に支持されている。
【０２００】
このため第２ガイド部５２には、ガイド部自重により一回転方向に回転するような力（以下、これを自重回転力とも呼ぶ）が作用している。
【０２０１】
よって圧縮コイルばね６９には、第１ガイド部５１に対し第２ガイド部５２が閉じた状態にロックされていなければ、第２ガイド部５２に作用している自重回転力を受けて、当該第２ガイド部５２により他端部を後斜め下に引っ張るような外力が加えられる。
【０２０２】
因みに、以下の説明では、第２ガイド部５２に作用している自重回転力のみで、圧縮コイルばね６９に加えられる当該第２ガイド部５２により他端部を後斜め下に引っ張るような外力を、ガイド引張力とも呼ぶ。
【０２０３】
ただし、圧縮コイルばね６９は、ガイド引張力よりも大きい力が加わらないと、何ら伸びずにリンクレール６３の一端部に対し、第２ブラケット６２と共に第２ガイド部５２を近づけて付勢するような所定の弾性力を有するように形成されている。
【０２０４】
すなわち、圧縮コイルばね６９は、ガイド引張力よりも大きい力が加わらないと、リンクレール６３の一端部に第２ブラケット６２と共に第２ガイド部５２を近づけるように付勢することで、第２ポスト６５を第２支持孔部６２ＡＸの孔部後端に突き当てるように形成されている。
【０２０５】
よって開閉制御部６０（図５）は、第２ガイド部５２が第１ガイド部５１に対して閉じた状態にロックされた場合、圧縮コイルばね６９によりリンクレール６３の一端部に第２ガイド部５２を近づけるように付勢して第２ポスト６５を第２支持孔部６２ＡＸの孔部後端に突き当てると共に、第１ポスト６４の先端部を第１支持孔部６２ＡＸの孔部前端に当接させ、又は近接させる。
【０２０６】
そして図１０に示すように、開閉型搬送部５０では、第１ガイド部５１に対して閉じられていた第２ガイド部５２のロックが解除された場合に例えば、当該第２ガイド部５２が作業者により何ら支えられていないと、その第２ガイド部５２が自重回転力の作用により回動軸５７、５８を中心にして一回転方向へ独りでに回転する。
【０２０７】
この際、開閉制御部６０は、圧縮コイルばね６９に第２ガイド部５２を介してガイド引張力だけが加わるため、当該圧縮コイルばね６９を何ら伸ばさない。
【０２０８】
このため開閉制御部６０は、このように第２ガイド部５２がガイド部自重により閉位置から一回転方向へ独りでに回転すると、リンクレール６３の第２ポスト６５を第２ブラケット６２の第２支持孔部６２ＡＸの孔部後端に突き当てたまま、当該リンクレール６３の第１ポスト６４の先端部を第１ブラケット６１の第１支持孔部６１ＡＸの傾斜に沿って孔部前端側から孔部後端まで移動させて突き当てる。
【０２０９】
これにより開閉制御部６０は、第２ガイド部５２の一回転方向への回転を強制的に停止させる。すなわち、開閉制御部６０は、第２ガイド部５２を全開位置までは回転（すなわち、変位）させずに、その全開位置よりも閉位置側の第１ガイド部５１に対し半開の状態にする開位置まで回転（すなわち、変位）させて、その回転を強制的に停止させる。
【０２１０】
因みに、以下の説明では、第１ガイド部５１に対し第２ガイド部５２が半開の状態となる開位置を、特に半開位置とも呼ぶ。
【０２１１】
よって開閉制御部６０は、このように第２ガイド部５２がガイド部自重により一回転方向へ独りでに回転しても、当該第２ガイド部５２が収納ユニット筐体４１の底板４１Ａに衝突して破損することを確実に防止することができる。
【０２１２】
ところで、開閉制御部６０は、この際、第２ガイド部５２を一回転方向の半開位置まで回転させることで、第１ガイド部５１に対し第２ガイド部５２を、作業を行うには狭いものの、第１ガイド部５１の一端部（すなわち、上側の端部）と第２ガイド部５２の一端部（すなわち、上側の端部）との間に上から大人の指が入る程度の隙間を空けるように僅かに開かせている。
【０２１３】
すなわち、開閉制御部６０は、このように第１ガイド部５１に対し第２ガイド部５２がガイド部自重により一回転方向へ独りでに回転した場合、その回転角度が大きいほど、回転の勢いが増すものの、当該回転を勢いが比較的大きくなる前の半開位置で停止させる。
【０２１４】
このため開閉制御部６０は、第２ガイド部５２の一回転方向への回転を停止させる際、当該第２ガイド部５２において回動軸５７、５８や当該回動軸５７、５８の取付部分（すなわち、第２ガイド左側板５６Ａ及び第２ガイド右側板５６Ｂにおける回動軸５７、５８の取付部分）にかかる負荷を大幅に低減させることができる。
【０２１５】
よって開閉制御部６０は、第２ガイド部５２の一回転方向への回転を半開位置で強制的に停止させても、当該第２ガイド部５２において回動軸５７、５８や当該回動軸５７、５８の取付部分が破損することも防止することができる。
【０２１６】
また開閉制御部６０は、第２ガイド部５２のロックが解除された際、当該第２ガイド部５２が作業者の手が添えられたまま一回転方向へ回転しても、圧縮コイルばね６９に第２ガイド部５２を介してガイド引張力よりも大きい力が加わっていないと、当該圧縮コイルばね６９を何ら伸ばさない。
【０２１７】
このため開閉制御部６０は、このような場合も、上述と同様にリンクレール６３の第２ポスト６５を第２ブラケット６２の第２支持孔部６２ＡＸの孔部後端に突き当てたまま、当該リンクレール６３の第１ポスト６４の先端部を第１ブラケット６１の第１支持孔部６１ＡＸ内で孔部後端まで移動させて突き当てる。
【０２１８】
これにより開閉制御部６０は、第２ガイド部５２の閉位置から一回転方向の半開位置まで回転させて、その回転を強制的に停止させ、かくして第１ガイド部５１に対し第２ガイド部５２を半開の状態にする。
【０２１９】
ところで、開閉制御部６０は、このように第２ガイド部５２が作業者の手が添えられたまま閉位置から一回転方向の半開位置まで回転すると、その回転の間、作業者の手にかかるガイド部自重を当該第２ガイド部５２の後側と下側とに分散させることができる。
【０２２０】
よって開閉制御部６０は、この際、作業者にかかる負担を大幅に低減させて第２ガイド部５２を閉位置から半開位置まで楽に開かせることができる。
【０２２１】
また図１１に示すように、開閉制御部６０では、このように半開位置に停止させた第２ガイド部５２の一端部に作業者の手がかけられて、当該第２ガイド部５２に一回転方向へさらに回転させるように自重回転力よりも大きい力が加えられると、これに応じて圧縮コイルばね６９に第２ガイド部５２を介してガイド引張力よりも大きい力が加わる。
【０２２２】
この際、開閉制御部６０は、リンクレール６３の第１ポスト６４の先端部を第１ブラケット６１の第１支持孔部６１ＡＸの孔部後端に突き当てたまま、圧縮コイルばね６９を徐々に伸ばして第２ポスト６５に対し第２ブラケット６２の第２支持孔部６２ＡＸを摺動させるようにして当該第２ポスト６５を第２支持孔部６２ＡＸの孔部前端側に位置させる。
【０２２３】
これにより開閉制御部６０は、第２ブラケット６２と共に第２ガイド部５２を、回動軸５７、５８を中心にして半開位置から一回転方向の全開位置側へさらに回転させる。
【０２２４】
このようにして開閉制御部６０は、第１ガイド部５１に対し第２ガイド部５２を開閉型搬送部５０に対する作業用に半開位置よりも全開位置側の所望の開位置（すなわち、最大でも全開位置）まで回転（すなわち、変位）させて開かせることができる。
【０２２５】
因みに、以下の説明では、第１ガイド部５１に対し第２ガイド部５２を作業用に開くために、当該第２ガイド部５２が半開位置よりも一回転方向に回転して変位可能な開位置（すなわち、半開位置を除く開位置）を、作業用開位置とも呼ぶ。
【０２２６】
すなわち、第２ガイド部５２が半開位置よりも一回転方向に回転して変位可能な開位置としては全開位置も含むが、以下の説明では、その全開位置を、半開位置よりも一回転方向の他の開位置とは区別する必要が無い場合、当該全開位置も作業用開位置と呼ぶ。
【０２２７】
ところで、開閉制御部６０は、リンクレール６３の第２ポスト６５を支持する第２ブラケット６２の第２支持孔部６２ＡＸが、回動軸５７を中心とする所定半径の円を基準とした円弧状に形成されている。
【０２２８】
このため開閉制御部６０は、第２ガイド部５２を半開位置から一回転方向の所望の作業用開位置まで回転させるとき、リンクレール６３の第２ポスト６５に対し第２ブラケット６２の第２支持孔部６２ＡＸを何ら引っ掛かりなくスムーズに摺動させることができる。
【０２２９】
よって開閉制御部６０は、この際、第２ブラケット６２と共に第２ガイド部５２を半開位置から一回転方向の所望の作業用開位置まで何ら引っ掛かりなくスムーズに回転させることができる。
【０２３０】
そして開閉制御部６０は、第１ガイド部５１に対し作業用開位置まで開かれた第２ガイド部５２が押さえられ、圧縮コイルばね６９にガイド引張力よりも大きい力が加えられている間は、当該第２ガイド部５２を、その作業用開位置に開いたままにする。
【０２３１】
これにより開閉制御部６０は、第１ガイド部５１に対し第２ガイド部５２を作業用開位置に開いた状態で、開閉型搬送部５０に対する作業を行わせることができる。
【０２３２】
ところで、開閉制御部６０は、このように第１ガイド部５１に対し第２ガイド部５２が作業用開位置に開かれている間は、圧縮コイルばね６９により第２ブラケット６２と共に第２ガイド部５２をリンクレール６３の一端部に近づけるように（すなわち、第２ガイド部５２を他回転方向へ回転させるように）付勢している。
【０２３３】
このため開閉制御部６０は、第１ガイド部５１に対して作業用開位置に開いたままにしていた第２ガイド部５２から作業者の手が離れて、又は作業者の手による押さえが弱められる等して第２ガイド部５２を作業用開位置に開いたままにする押えが解除されると、リンクレール６３の第１ポスト６４の先端部を第１ブラケット６１の第１支持孔部６１ＡＸの孔部後端に突き当てたまま、圧縮コイルばね６９を徐々に縮める。
【０２３４】
これにより開閉制御部６０は、リンクレール６３の第２ポスト６５に対し第２ブラケット６２の第２支持孔部６２ＡＸを摺動させて当該第２ポスト６５を第２支持孔部６２ＡＸの孔部後端側に位置させるようにして、第２ブラケット６２と共に第２ガイド部５２を、回動軸５７、５８を中心にして作業用開位置から他回転方向へ自動的に回転させる。
【０２３５】
そして開閉制御部６０は、リンクレール６３の第２ポスト６５に第２ブラケット６２の第２支持孔部６２ＡＸの孔部後端を突き当てた時点で、当該第２ブラケット６２と共に第２ガイド部５２の他回転方向への回転を強制的に停止させる。
【０２３６】
すなわち、開閉制御部６０は、第２ガイド部５２を作業用開位置に開いたままにする押えが解除されると、当該第２ガイド部５２を作業用開位置から他回転方向へ回転させるものの、第１ガイド部５１に対しては閉じずに（すなわち、閉位置までは変位させずに）半開位置まで回転（すなわち、変位）させた時点で、その他回転方向への回転を強制的に停止させる。
【０２３７】
これにより開閉制御部６０は、開閉型搬送部５０に対する作業が例えば、第２ガイド部５２の後側でも行われるような場合、その第２ガイド部５２が作業の邪魔になることを容易に防止することができる。
【０２３８】
また開閉制御部６０は、第２ガイド部５２を作業用開位置から他回転方向へ回転させたときに当該第２ガイド部５２の一端部に作業者の手が添えられていても、第１ガイド部５１に対し第２ガイド部５２を完全には閉じずに半開の状態にすることで、当該第１ガイド部５１と第２ガイド部５２との間に作業者の手が挟まることを防止することができる。
【０２３９】
ところで、開閉制御部６０は、上述のように第２ブラケット６２の第２支持孔部６２ＡＸが円弧状に形成されているため、第２ガイド部５２を作業用開位置に開いたままにする押えが解除された際も、リンクレール６３の第２ポスト６５に対し第２ブラケット６２の第２支持孔部６２ＡＸを何ら引っ掛かりなくスムーズに摺動させることができる。
【０２４０】
よって開閉制御部６０は、このように第２ブラケット６２と共に第２ガイド部５２を作業用開位置から他回転方向の半開位置まで自動的に回転させるときも、当該第２ガイド部５２を何ら引っ掛かりなくスムーズに回転させることができる。
【０２４１】
そして開閉制御部６０は、第２ガイド部５２を半開位置まで変位させた状態では、作業者に当該第２ガイド部５２の例えば一端部を前側に押させることで、リンクレール６３の第２ポスト６５を第２ブラケット６２の第２支持孔部６２ＡＸの孔部後端に突き当てたまま、当該リンクレール６３の第１ポスト６４の先端部を第１ブラケット６１の第１支持孔部６１ＡＸの孔部前端側へ移動させる。
【０２４２】
これにより開閉制御部６０は、第２ガイド部５２を、回動軸５７、５８を中心にして半開位置から他回転方向の閉位置まで回転（すなわち、変位）させて第１ガイド部５１に対し当該第２ガイド部５２を閉じさせることができる。
【０２４３】
このようにして開閉制御部６０は、第１ガイド部５１に対し第２ガイド部５２が作業用開位置まで開かれても、これを閉じる際、当該第２ガイド部５２を作業用開位置から半開位置までは自動的に回転（すなわち、変位）させる。
【０２４４】
そして開閉制御部６０は、作業者に第２ガイド部５２を、残りの半開位置から閉位置までだけ閉じるように操作させるため、第１ガイド部５１に対し第２ガイド部５２を閉じる際の操作を簡易化することができる。
【０２４５】
ところで、図１２及び図１３に示すように、入出金機筐体２０は、収納ユニット筐体４１を収納した場合、開閉型搬送部５０において第１ガイド部５１に対し第２ガイド部５２が閉じられた状態のみならず半開の状態でも、当該第２ガイド部５２が、後壁２０ＢＸ（すなわち、背面２０Ｂ側の壁）に接触しないように奥行が選定されている。
【０２４６】
そして開閉制御部６０は、上述のように作業のために第１ガイド部５１に対し第２ガイド部５２が作業用開位置まで開かれても、第２ガイド部５２を作業用開位置に開いたままにする押えが解除されると、当該第２ガイド部５２を必ず作業用開位置から半開位置まで自動的に変位させて半開の状態にしている。
【０２４７】
よって開閉制御部６０は、仮に第１ガイド部５１に対して第２ガイド部５２を閉じることが忘れられたまま、入出金機筐体２０に収納ユニット筐体４１が押し込むようにして収納されても、当該第２ガイド部５２が入出金機筐体２０の後壁２０ＢＸに衝突して破損することを確実に防止することができる。
【０２４８】
（２−３）第１の実施の形態の動作及び効果
以上の構成において、紙幣入出金機２Ａの開閉型搬送部５０には、第１ガイド部５１が設けられると共に、当該第１ガイド部５１に対し第２ガイド部５２が開閉可能に設けられている。
【０２４９】
また紙幣入出金機２Ａの開閉型搬送部５０には、第１ガイド部５１に対し第２ガイド部５２を閉位置から半開位置までの間は閉じるように付勢せずに開閉させるものの、第１ガイド部５１に対し第２ガイド部５２が半開位置よりも作業用開位置まで開かれている間は、当該第２ガイド部５２を閉じるように付勢する開閉制御部６０が設けられている。
【０２５０】
よって紙幣入出金機２Ａの開閉型搬送部５０は、第１ガイド部５１に対し作業用開位置まで開かれた第２ガイド部５２が作業者によって押さえられている間は、当該第１ガイド部５１に対し第２ガイド部５２を作業用開位置に開いたままにして当該開閉型搬送部５０に対する作業を行わせることができる。
【０２５１】
そして紙幣入出金機２Ａの開閉型搬送部５０は、第２ガイド部５２を作業用開位置に開いたままにする押えが解除されると、開閉制御部６０により第２ガイド部５２を作業用開位置から半開位置まで自動的に変位させて半開の状態にする。
【０２５２】
従って紙幣入出金機２Ａの開閉型搬送部５０は、当該開閉型搬送部５０に対する作業が例えば、第２ガイド部５２の後側でも行われるような場合、第２ガイド部５２を作業用開位置に開いたままにする押えを解除させるだけで、第１ガイド部５１に対し第２ガイド部５２を半開の状態にして、当該第２ガイド部５２が作業の邪魔になることを容易に防止することができる。
【０２５３】
また紙幣入出金機２Ａの開閉型搬送部５０は、この際、作業用開位置から半開位置へ変位させる第２ガイド部５２の一端部に作業者の手が添えられていても、当該第１ガイド部５１と第２ガイド部５２との間に作業者の手が挟まることを防止することができる。
【０２５４】
さらに紙幣入出金機２Ａの開閉型搬送部５０は、この際、第１ガイド部５１に対して第２ガイド部５２を閉じることが忘れられたまま、入出金機筐体２０に収納ユニット筐体４１が収納されても、当該第２ガイド部５２が入出金機筐体２０の後壁２０ＢＸに衝突して破損することを確実に防止することができる。
【０２５５】
以上の構成によれば、紙幣入出金機２Ａは、開閉型搬送部５０に第１ガイド部５１を設けると共に、その第１ガイド部５１に対し第２ガイド部５２を開閉可能に設け、さらに第１ガイド部５１に対し第２ガイド部５２が半開位置よりも作業用開位置まで開かれている間は、当該第２ガイド部５２を閉じるように付勢する開閉制御部６０を設けるようにし、第２ガイド部５２を作業用開位置に開いたままにする押えが解除されると、開閉制御部６０により第２ガイド部５２を作業用開位置から半開位置まで自動的に変位させて半開の状態にするようにした。
【０２５６】
これにより紙幣入出金機２Ａは、開閉型搬送部５０に対する作業の際、第１ガイド部５１に対して開いていた第２ガイド部５２が作業の邪魔になり、また作業者の怪我や第２ガイド部５２の破損をまねく等して作業が滞ることを容易に回避することができる。よって紙幣入出金機２Ａは、開閉型搬送部５０に対して行われる作業 の作業効率が低下することを防止することができる。
【０２５７】
また紙幣入出金機２Ａでは、このように第１ガイド部５１に対し第２ガイド部５２を閉じる際、当該第２ガイド部５２を作業用開位置から半開位置までは自動的に変位させているため、作業者に第２ガイド部５２を、残りの半開位置から閉位置までだけ閉じるように操作させるだけでよく、第１ガイド部５１に対し第２ガイド部５２を閉じる際の操作を簡易化することができる。
【０２５８】
さらに紙幣入出金機２Ａでは、開閉型搬送部５０において開閉制御部６０を第１ガイド部５１及び第２ガイド部５２の左側に設けるようにした。
【０２５９】
従って紙幣入出金機２Ａでは、開閉型搬送部５０において第１ガイド部５１に対し第２ガイド部５２が作業用開位置まで開かれた際、当該第１ガイド部５１と第２ガイド部５２との間に上側及び右側の何れからも手を差し込ませて作業を行わせることができる。
【０２６０】
よって紙幣入出金機２Ａでは、開閉型搬送部５０に対するメンテナンス用の作業で開閉制御部６０が邪魔になって作業が行い難くなることを極力回避することができる。
【０２６１】
さらに紙幣入出金機２Ａでは、第１ガイド部５１に対し第２ガイド部５２を閉じた状態から開く場合も、開閉制御部６０により第２ガイド部５２が半開位置まで変位した時点で当該第２ガイド部５２を停止させて半開の状態にするようにした。
【０２６２】
従って紙幣入出金機２Ａでは、開閉型搬送部５０において第１ガイド部５１に対し第２ガイド部５２を閉じた状態から開く場合、当該第２ガイド部５２が収納ユニット筐体４１の底板４１Ａに衝突して破損することを確実に防止することができる。
【０２６３】
さらに紙幣入出金機２Ａでは、開閉型搬送部５０において第１ガイド部５１に対し第２ガイド部５２を閉じた状態から開く場合、半開の状態として第１ガイド部５１に対し第２ガイド部５２を、作業を行うには狭いものの、第１ガイド部５１の一端部と第２ガイド部５２の一端部との間に上から大人の指が入る程度の隙間を空けるように僅かに開かせるようにした。
【０２６４】
従って紙幣入出金機２Ａでは、開閉型搬送部５０において第１ガイド部５１に対し第２ガイド部５２を閉じた状態から開く場合に当該第２ガイド部５２を半開位置で停止させるものの、その際、第２ガイド部５２において回動軸５７、５８や当該回動軸５７、５８の取付部分にかかる負荷を大幅に低減させることができる。
【０２６５】
よって紙幣入出金機２Ａでは、開閉型搬送部５０において第１ガイド部５１に対し第２ガイド部５２を閉じた状態から開く場合に、その第２ガイド部５２において回動軸５７、５８や当該回動軸５７、５８の取付部分が破損することを防止することができる。
【０２６６】
（３）第２の実施の形態
（３−１）紙幣入出金機の構成
図２との対応部分に同一符号を付した図１４は、第２の実施の形態による紙幣入出金機２Ｂを示す。係る紙幣入出金機２Ｂは、紙幣収納ユニット８０の収納ユニット筐体４１内に設けられた開閉型搬送部８１の構成を除いて上述した第１の実施の形態による紙幣入出金機２Ａと同様に構成されている。
【０２６７】
（３−２）開閉型搬送部の構成
図５及び図７との対応部分に同一符号を付した図１５及び図１６に示すように、開閉型搬送部８１は、開閉制御部８２の構成を除いて上述した第１の実施の形態による開閉型搬送部５０と同様に構成されている。
【０２６８】
この場合、開閉制御部８２は、上述した第１の実施の形態による開閉型搬送部５０の開閉制御部６０の場合と同様構成の第１ブラケット６１を有している。
【０２６９】
そして第１ブラケット６１は、上述した第１の実施の形態による開閉制御部６０の場合と同様に、第１ガイド左側板５５Ａの外面の一端部にガイド当接板６１Ｂの外面を接合するようにして取り付けられている。
【０２７０】
また開閉制御部８２は、略円柱状の第１ばね係止部８３と、短冊状の第２ばね係止部８４とを有している。第１ばね係止部８３は、一端部が第１ブラケット６１の第１支持孔部６１ＡＸの幅よりも僅かに短い所定の直径を有するように形成されている。
【０２７１】
また第１ばね係止部８３は、他端部が第１ブラケット６１の第１支持孔部６１ＡＸの幅よりも太く（すなわち、一端部よりも一回り太く）形成されている。
【０２７２】
さらに第１ばね係止部８３は、他端部の所定位置に、当該他端部の他の部分よりも一回り細い絞部８３Ａが形成されている。
【０２７３】
そして第１ばね係止部８３は、一端部が、第１支持板６１Ａの支持板後端部の左側から第１支持孔部６１ＡＸに挿入されている。
【０２７４】
そのうえで第１ばね係止部８３は、第１支持板６１Ａの支持板後端部の右側で一端に、第１支持孔部６１ＡＸの幅よりも大きい直径を有する例えば、円板状の抜止部８５が取り付けられている。
【０２７５】
これにより第１ブラケット６１は、第１ばね係止部８３を第１支持孔部６１ＡＸにより当該第１支持孔部６１ＡＸの孔部前端及び孔部後端へ移動可能に支持している。
【０２７６】
一方、第２ばね係止部８４は、例えば、その長さが、第１ガイド左側板５５Ａの外面から第１ばね係止部８３の他端までの長さとほぼ等しく選定されている。
【０２７７】
また第２ばね係止部８４は、一端を第２ガイド左側板５６Ａの外面において中央部の所定位置に接合するようにして、当該第２ガイド左側板５６Ａの外面に植設されている。
【０２７８】
そして開閉制御部８２は、自然長やバネ定数等が適宜選定された圧縮コイルばね８６も有している。圧縮コイルばね８６は、一端が、第１ばね係止部８３の絞部８３Ａを介して当該第１ばね係止部８３に係止されている。
【０２７９】
また圧縮コイルばね８６は、第１ガイド左側板５５Ａ及び第２ガイド左側板５６Ａと平行にされた状態で、他端が、第２ばね係止部８４の他端部に穿設された係止孔部を介して当該第２ばね係止部８４に係止されている。
【０２８０】
この場合、圧縮コイルばね８６は、第２ガイド部５２が第１ガイド部５１に対して閉じた状態にロックされ、かつ第１ばね係止部８３の一端部が第１支持孔部６１ＡＸの孔部前端に当接され、又は近接された場合に自然長となる。
【０２８１】
そして圧縮コイルばね８６には、上述した第１の実施の形態による開閉制御部６０の圧縮コイルばね６９と同様に、第２ガイド部５２を介してガイド引張力が加えられている。
【０２８２】
このため圧縮コイルばね８６は、ガイド引張力よりも大きい力が加わらないと自然長からは何ら伸びず、当該ガイド引張力よりも大きい力が加えられたときのみ伸びて元の自然長に戻ろうとするような所定の弾性力を有するように形成されている。
【０２８３】
よって開閉制御部８２（図１５）は、第１ガイド部５１に対し第２ガイド部５２が閉じた状態にロックされると、圧縮コイルばね８６を自然長にして第１ばね係止部８３の一端部を第１支持孔部６１ＡＸの孔部前端に当接させ、又は近接させる。
【０２８４】
そして図１７に示すように、開閉制御部８２では、第１ガイド部５１に対して閉じられていた第２ガイド部５２のロックが解除された場合に例えば、当該第２ガイド部５２が自重回転力の作用により回動軸５７、５８を中心にして一回転方向へ独りでに回転すると、圧縮コイルばね８６に当該第２ガイド部５２を介してガイド引張力のみが加わる。
【０２８５】
このため開閉制御部８２は、この際、圧縮コイルばね８６を何ら伸ばさないまま、第１ばね係止部８３の一端部を第１ブラケット６１の第１支持孔部６１ＡＸの傾斜に沿って孔部後端まで移動させて突き当てて、第２ガイド部５２の一回転方向への回転を強制的に停止させる。
【０２８６】
すなわち、開閉制御部８２は、この際、第２ガイド部５２を全開位置までは回転（すなわち、変位）させずに、半開位置まで回転（すなわち、変位）させたうえで、その一回転方向への回転を強制的に停止させることにより、半開の状態にする。
【０２８７】
よって開閉制御部８２は、このように第２ガイド部５２がガイド部自重の作用により一回転方向へ独りでに回転しても、上述した第１の実施の形態による開閉制御部６０の場合と同様に、当該第２ガイド部５２が収納ユニット筐体４１の底板４１Ａに衝突して破損することを確実に防止することができる。
【０２８８】
また開閉制御部８２は、この際、上述した第１の実施の形態による開閉制御部６０の場合と同様に、第２ガイド部５２において回動軸５７、５８や当該回動軸５７、５８の取付部分にかかる負荷を大幅に低減させることができる。
【０２８９】
よって開閉制御部８２も、第２ガイド部５２の一回転方向への回転を半開位置で強制的に停止させた際、当該第２ガイド部５２において回動軸５７、５８や当該回動軸５７、５８の取付部分が破損することを防止することができる。
【０２９０】
また開閉制御部８２は、第２ガイド部５２のロックが解除された場合に、当該第２ガイド部５２が作業者の手が添えられたまま一回転方向へ回転しても、圧縮コイルばね８６にガイド引張力よりも大きい力が加わっていないと、上述と同様に当該圧縮コイルばね８６を何ら伸ばさずに第１ばね係止部８３の一端部を第１支持孔部６１ＡＸの傾斜に沿って孔部後端まで移動させて突き当てる。
【０２９１】
これにより開閉制御部８２は、第２ガイド部５２の一回転方向への回転を半開位置で強制的に停止させて、第１ガイド部５１に対し当該第２ガイド部５２を半開の状態にする。
【０２９２】
そして開閉制御部８２は、このように第２ガイド部５２が作業者の手が添えられたまま閉位置から一回転方向の半開位置まで回転したときには、上述した第１の実施の形態による開閉制御部６０の場合と同様に、作業者の手にかかるガイド部自重を当該第２ガイド部５２の後側と下側とに分散させることができる。
【０２９３】
よって開閉制御部８２は、この際、作業者にかかる負担を大幅に低減させて第２ガイド部５２を閉位置から半開位置まで楽に開かせることができる。
【０２９４】
また図１８に示すように、開閉制御部８２では、半開位置に停止させた第２ガイド部５２の一端部に作業者の手がかけられて、当該第２ガイド部５２に一回転方向へさらに回転させるように自重回転力よりも大きい力が加えられると、これに応じて圧縮コイルばね８６に第２ガイド部５２を介してガイド引張力よりも大きい力が加わる。
【０２９５】
そして開閉制御部８２は、このような場合、圧縮コイルばね８６に第２ガイド部５２を介して加えられたガイド引張力よりも大きな力により、第１ばね係止部８３の一端部を第１ブラケット６１の第１支持孔部６１ＡＸの孔部後端に突き当てたまま、当該圧縮コイルばね８６を徐々に伸ばす。
【０２９６】
これにより開閉制御部８２は、第２ガイド部５２を、回動軸５７、５８を中心にして半開位置から一回転方向の全開位置側へさらに回転させる。
【０２９７】
このようにして開閉制御部８２は、第１ガイド部５１に対し第２ガイド部５２を開閉型搬送部８１に対する作業用に所望の作業用開位置（すなわち、最大でも全開位置）まで回転（すなわち、変位）させて開かせることができる。
【０２９８】
そして開閉制御部８２は、第１ガイド部５１に対し作業用開位置まで開かれた第２ガイド部５２が押さえられ、圧縮コイルばね８６にガイド引張力よりも大きい力が加えられている間は、上述した第１の実施の形態による開閉制御部６０の場合と同様に、当該第２ガイド部５２を、その作業用開位置に開いたままにする。
【０２９９】
これにより開閉制御部８２は、第１ガイド部５１に対し第２ガイド部５２を作業用開位置に開いた状態で、開閉型搬送部８１に対する作業を行わせることができる。
【０３００】
また開閉制御部８２は、このように第１ガイド部５１に対し第２ガイド部５２が作業用開位置に開かれている間は、圧縮コイルばね８６により第２ガイド部５２を第１ばね係止部８３に近づけるように（すなわち、第２ガイド部５２を他回転方向へ回転させるように）付勢している。
【０３０１】
よって開閉制御部８２は、第２ガイド部５２を作業用開位置に開いたままにする押えが解除されると、圧縮コイルばね８６を徐々に縮めて第２ガイド部５２を、回動軸５７、５８を中心にして作業用開位置から他回転方向へ回転させる。
【０３０２】
そして開閉制御部８２は、圧縮コイルばね８６が自然長に戻り、第２ガイド部５２を作業用開位置から他回転方向の半開位置まで回転させると、その回転を強制的に停止させて、第１ガイド部５１に対し第２ガイド部５２を半開の状態にする。
【０３０３】
これにより開閉制御部８２は、上述した第１の実施の形態による開閉制御部６０の場合と同様に、開閉型搬送部８１に対する作業が例えば、第２ガイド部５２の後側でも行われるような場合、その第２ガイド部５２が作業の邪魔になることを容易に防止することができる。
【０３０４】
また開閉制御部８２は、第２ガイド部５２を作業用開位置から他回転方向へ回転させたときに当該第２ガイド部５２の一端部に作業者の手が添えられていても、当該第１ガイド部５１と第２ガイド部５２との間に作業者の手が挟まることを防止することができる。
【０３０５】
そして開閉制御部８２は、半開の状態にしていた第２ガイド部５２の例えば一端部が作業者によって前側に押されると、これに応じて当該第２ガイド部５２を、回動軸５７、５８を中心にして半開位置から他回転方向の閉位置まで回転（すなわち、変位）させながら、第１ばね係止部８３の一端部を第１ブラケット６１の第１支持孔部６１ＡＸの孔部前端側へ移動させる。
【０３０６】
これにより開閉制御部８２は、第１ガイド部５１に対し第２ガイド部５２を閉じさせることができ、また第１ガイド部５１に対し第２ガイド部５２を閉じた状態にロックさせることができる。
【０３０７】
このようにして開閉制御部８２は、上述した第１の実施の形態による開閉制御部６０の場合と同様に、第１ガイド部５１に対し第２ガイド部５２が作業用開位置まで開かれても、これを閉じる際には、当該第２ガイド部５２を作業用開位置から半開位置までは自動的に回転（すなわち、変位）させる。
【０３０８】
そして開閉制御部８２は、作業者に第２ガイド部５２を、残りの半開位置から閉位置までだけ閉じるように操作させる。よって開閉制御部８２も、上述した第１の実施の形態による開閉制御部６０の場合と同様に、第１ガイド部５１に対し第２ガイド部５２を閉じる際の操作を簡易化することができる。
【０３０９】
なお、この第２の実施の形態の場合も、開閉制御部８２は、仮に第１ガイド部５１に対して第２ガイド部５２を閉じることが忘れられても、当該第２ガイド部５２を必ず作業用開位置から半開位置まで自動的に変位させて半開の状態にしている。
【０３１０】
これにより開閉制御部８２は、仮に第１ガイド部５１に対して第２ガイド部５２を閉じることが忘れられたまま、入出金機筐体２０に収納ユニット筐体４１が押し込むようにして収納されても、第２ガイド部５２が入出金機筐体２０の後壁に衝突して破損することを確実に防止することができる。
【０３１１】
（３−３）第２の実施の形態の動作及び効果
以上の構成において、紙幣入出金機２Ｂの開閉型搬送部８１には、第１ガイド部５１が設けられると共に、当該第１ガイド部５１に対し第２ガイド部５２が開閉可能に設けられている。
【０３１２】
また紙幣入出金機２Ｂの開閉型搬送部８１には、第１ガイド部５１に対し第２ガイド部５２を閉位置から半開位置までの間は閉じるように付勢せずに開閉させるものの、第１ガイド部５１に対し第２ガイド部５２が半開位置よりも作業用開位置まで開かれている間は、当該第２ガイド部５２を閉じるように付勢する開閉制御部８２が設けられている。
【０３１３】
そして紙幣入出金機２Ｂの開閉型搬送部８１では、開閉制御部８２が、第１ブラケット６１、第１ばね係止部８３、第２ばね係止部８４、抜止部８５及び圧縮コイルばね８６によって構成されている。
【０３１４】
よって紙幣入出金機２Ｂの開閉型搬送部８１は、第１ガイド部５１に対し作業用開位置まで開かれた第２ガイド部５２が作業者によって押さえられている間は、当該第１ガイド部５１に対し第２ガイド部５２を作業用開位置に開いたままにして当該開閉型搬送部８１に対する作業を行わせることができる。
【０３１５】
そして紙幣入出金機２Ｂの開閉型搬送部８１は、第１ガイド部５１に対し第２ガイド部５２を作業用開位置に開いたままにする押えが解除されると、上述した第１の実施の形態による開閉制御部６０よりも簡易な構成の開閉制御部８２により第２ガイド部５２を作業用開位置から半開位置まで自動的に変位させて半開の状態にする。
【０３１６】
従って紙幣入出金機２Ｂの開閉型搬送部８１は、開閉型搬送部８１に対する作業の際、第１ガイド部５１に対して開いていた第２ガイド部５２が作業の邪魔になり、また作業者の怪我や第２ガイド部５２の破損をまねく等して作業が滞ることを、上述した第１の実施の形態に比して簡易な構成で容易に回避することができる。
【０３１７】
以上の構成によれば、紙幣入出金機２Ｂは、開閉型搬送部８１に第１ガイド部５１を設けると共に、その第１ガイド部５１に対し第２ガイド部５２を開閉可能に設け、さらに第１ガイド部５１に対し第２ガイド部５２が半開位置よりも作業用開位置まで開かれている間は、当該第２ガイド部５２を閉じるように付勢するために、第１ブラケット６１、第１ばね係止部８３、第２ばね係止部８４、抜止部８５及び圧縮コイルばね８６によって構成された開閉制御部８２を設けるようにし、第１ガイド部５１に対し第２ガイド部５２を作業用開位置に開いたままにする押えが解除されると、開閉制御部８２により第２ガイド部５２を作業用開位置から半開位置まで自動的に変位させて半開の状態にするようにした。
【０３１８】
これにより紙幣入出金機２Ｂは、開閉型搬送部８１に対する作業の際、第１ガイド部５１に対して開いていた第２ガイド部５２が作業の邪魔になり、また作業者の怪我や第２ガイド部５２の破損をまねく等して作業が滞ることを、上述した第１の実施の形態に比して簡易な構成で容易に回避することができる。
【０３１９】
すなわち、紙幣入出金機２Ｂは、上述した第１の実施の形態によって得られる効果と同様の効果を得ることができると共に、これに加えて上述した第１の実施の形態に比して開閉制御部８２の構成を簡易化して、開閉型搬送部８１全体の構成も簡易化することができる。
【０３２０】
また紙幣入出金機２Ｂは、開閉制御部８２を上述した第１の実施の形態による開閉型搬送部５０の開閉制御部６０と比して第２ブラケット６２やリンクレール６３を除いて構成して、当該開閉制御部８２全体の左右方向の幅を短くすることができる。
【０３２１】
よって紙幣入出金機２Ｂは、上述した第１の実施の形態による開閉型搬送部５０に比して開閉型搬送部８１を左右方向に小型化することができる。
【０３２２】
（４）第３の実施の形態
（４−１）紙幣入出金機の構成
図２との対応部分に同一符号を付した図１９は、第３の実施の形態による紙幣入出金機２Ｃを示す。係る紙幣入出金機２Ｃは、紙幣収納ユニット９０の収納ユニット筐体４１内に設けられた開閉型搬送部９１の構成を除いて上述した第１の実施の形態による紙幣入出金機２Ａと同様に構成されている。
【０３２３】
（４−２）開閉型搬送部の構成
図５との対応部分に同一符号を付した図２０に示すように、開閉型搬送部９１は、開閉制御部として設けられた圧縮コイルばね９２の構成を除いて上述した第１の実施の形態による開閉型搬送部５０と同様に構成されている。
【０３２４】
この場合、圧縮コイルばね９２は、ガイド支持部５３の後で、例えば一端を、第２ガイド左後縁５６ＡＹの屈曲部から他端寄りの所定部分と対向させ、他端を収納ユニット筐体４１の底板４１Ａに接合するようにして配置されている。
【０３２５】
因みに、以下の説明では、第２ガイド左後縁５６ＡＹにおいて圧縮コイルばね９２の一端と対向する屈曲部から他端寄りの所定部分を、対向部分とも呼ぶ。
【０３２６】
この場合、圧縮コイルばね９２は、一端に第２ガイド左後縁５６ＡＹの対向部分が何ら接触しない状態で自然長となる。
【０３２７】
そして圧縮コイルばね９２は、第２ガイド部５２が第１ガイド部５１に対して閉じた状態にロックされた場合、一端を第２ガイド左後縁５６ＡＹの対向部分の最も下寄り（すなわち他端寄り）の位置から所定の距離Ｌ１だけ離すような自然長に選定されている。
【０３２８】
また圧縮コイルばね９２は、ばね定数等が適宜選定され、一端に第２ガイド左後縁５６ＡＹの対向部分が押し付けられてガイド部自重がかかっても何ら縮まず、そのガイド部自重よりもある程度以上大きな荷重（すなわち、外力）が加わったときに縮んで元の自然長に戻るように作用するような所定の弾性力を有するように形成されている。
【０３２９】
因みに、以下の説明では、圧縮コイルばね９２に加えられる、当該圧縮コイルばね９２を縮めるための外力を、押縮力とも呼ぶ。
【０３３０】
よって図２１に示すように、圧縮コイルばね９２は、第１ガイド部５１に対して閉じられていた第２ガイド部５２のロックが解除された場合に例えば、当該第２ガイド部５２が自重回転力の作用により回動軸５７、５８を中心にして一回転方向へ独りでに回転すると、何ら縮まずに一端で第２ガイド左後縁５６ＡＹの対向部分を受け止める。
【０３３１】
これにより圧縮コイルばね９２は、第２ガイド部５２の一回転方向への回転を半開位置で強制的に停止させて、第１ガイド部５１に対し第２ガイド部５２を半開の状態にする。
【０３３２】
従って圧縮コイルばね９２は、このように第２ガイド部５２が自重回転力の作用により一回転方向へ独りでに回転しても、上述した第１の実施の形態による開閉制御部６０の場合と同様に、当該第２ガイド部５２が収納ユニット筐体４１の底板４１Ａに衝突して破損することを確実に防止することができる。
【０３３３】
また圧縮コイルばね９２は、この際、上述した第１の実施の形態による開閉制御部６０の場合と同様に、第２ガイド部５２において回動軸５７、５８や当該回動軸５７、５８の取付部分にかかる負荷を大幅に低減させることができる。
【０３３４】
よって圧縮コイルばね９２も、第２ガイド部５２の一回転方向への回転を半開位置で強制的に停止させた際、当該第２ガイド部５２において回動軸５７、５８や当該回動軸５７、５８の取付部分が破損することを防止することができる。
【０３３５】
また圧縮コイルばね９２は、第２ガイド部５２のロックが解除された場合に、当該第２ガイド部５２が作業者の手が添えられたまま一回転方向へ回転しても、押縮力よりも大きい力が加わらないと、上述と同様に何ら縮まずに一端で第２ガイド左後縁５６ＡＹの対向部分を受け止める。
【０３３６】
これにより圧縮コイルばね９２は、第２ガイド部５２の一回転方向への回転を半開位置で強制的に停止させて、第１ガイド部５１に対し第２ガイド部５２を半開の状態にする。
【０３３７】
そして圧縮コイルばね９２は、このように第２ガイド部５２が作業者の手が添えられたまま閉位置から一回転方向の半開位置まで回転したときには、上述した第１の実施の形態による開閉制御部６０の場合と同様に、作業者の手にかかるガイド部自重を当該第２ガイド部５２の後側と下側とに分散させることができる。
【０３３８】
よって圧縮コイルばね９２は、この際、作業者にかかる負担を大幅に低減させて第２ガイド部５２を閉位置から半開位置まで楽に開かせることができる。
【０３３９】
そして図２２に示すように、圧縮コイルばね９２は、半開位置に停止させた第２ガイド部５２の一端部に作業者の手がかけられて、当該第２ガイド部５２に一回転方向へさらに回転させるように自重回転力よりも大きい力が加えられると、これに応じて押縮力が加わる。
【０３４０】
この場合、圧縮コイルばね９２は、第２ガイド部５２を介して加えられた押縮力により、全体を徐々に縮めながら、当該第２ガイド部５２を、回動軸５７、５８を中心にして半開位置から一回転方向の全開位置側へさらに回転させる。
【０３４１】
このようにして圧縮コイルばね９２は、第１ガイド部５１に対し第２ガイド部５２を開閉型搬送部９１に対する作業用に所望の作業用開位置（すなわち、最大でも全開位置）まで回転（すなわち、変位）させて開かせることができる。
【０３４２】
そして圧縮コイルばね９２は、第１ガイド部５１に対し作業用開位置まで開かれた第２ガイド部５２がガイド部自重による回転力よりも大きい力で押さえられ、押縮力が加えられている間は、上述した第１の実施の形態による開閉制御部６０の場合と同様に、当該第２ガイド部５２を、その作業用開位置に開いたままにする。
【０３４３】
これにより圧縮コイルばね９２は、第１ガイド部５１に対し第２ガイド部５２を作業用開位置に開いた状態で、開閉型搬送部９１に対する作業を行わせることができる。
【０３４４】
また圧縮コイルばね９２は、第１ガイド部５１に対し第２ガイド部５２が作業用開位置に開かれている間は、当該第２ガイド部５２を押し上げるように（すなわち、他回転方向へ回転させるように）付勢している。
【０３４５】
よって圧縮コイルばね９２は、第２ガイド部５２を作業用開位置に開いたままにする押えが解除されると、全体を徐々に伸ばして第２ガイド部５２を、回動軸５７、５８を中心にして作業用開位置から他回転方向へ回転させる。
【０３４６】
そして圧縮コイルばね９２は、全体が自然長に戻り、第２ガイド部５２を作業用開位置から他回転方向の半開位置まで回転させると、その回転を強制的に停止させて、第１ガイド部５１に対し当該第２ガイド部５２を再び半開の状態にする。
【０３４７】
これにより圧縮コイルばね９２は、上述した第１の実施の形態による開閉制御部６０の場合と同様に、開閉型搬送部９１に対する作業が例えば、第２ガイド部５２の後側でも行われるような場合、その第２ガイド部５２が作業の邪魔になることを容易に防止することができる。
【０３４８】
また圧縮コイルばね９２は、第２ガイド部５２を作業用開位置から他回転方向へ回転させたときに当該第２ガイド部５２の一端部に作業者の手が添えられていても、第１ガイド部５１に対し第２ガイド部５２を完全には閉じずに半開の状態にするため、当該第１ガイド部５１と第２ガイド部５２との間に作業者の手が挟まることを防止することができる。
【０３４９】
そして圧縮コイルばね９２は、半開の状態にしていた第２ガイド部５２の例えば一端部が作業者によって前側に押されると、これに応じて一端から第２ガイド左後縁５６ＡＹの対向部分を離隔させる。
【０３５０】
よって圧縮コイルばね９２は、この際、第２ガイド部５２を、回動軸５７、５８を中心にして半開位置から他回転方向の閉位置まで回転（すなわち、変位）させる。
【０３５１】
これにより圧縮コイルばね９２は、第１ガイド部５１に対し第２ガイド部５２を閉じさせることができ、また第１ガイド部５１に対し第２ガイド部５２を閉じた状態にロックさせることができる。
【０３５２】
このようにして圧縮コイルばね９２は、上述した第１の実施の形態による開閉制御部６０の場合と同様に、第１ガイド部５１に対し第２ガイド部５２が作業用開位置まで開かれても、これを閉じる際には、当該第２ガイド部５２を作業用開位置から半開位置までは自動的に回転（すなわち、変位）させる。
【０３５３】
そして圧縮コイルばね９２は、作業者に第２ガイド部５２を、残りの半開位置から閉位置までだけ閉じるように操作させる。よって圧縮コイルばね９２も、上述した第１の実施の形態による開閉制御部６０の場合と同様に、第１ガイド部５１に対し第２ガイド部５２を閉じる際の操作を簡易化することができる。
【０３５４】
なお、この第２の実施の形態の場合も、圧縮コイルばね９２は、仮に第１ガイド部５１に対して第２ガイド部５２を閉じることが忘れられても、当該第２ガイド部５２を必ず作業用開位置から半開位置まで自動的に変位させて半開の状態にしている。
【０３５５】
よって圧縮コイルばね９２は、仮に第１ガイド部５１に対して第２ガイド部５２を閉じることが忘れられたまま、入出金機筐体２０に収納ユニット筐体４１が押し込むようにして収納されても、第２ガイド部５２が入出金機筐体２０の後壁に衝突して破損することを確実に防止することができる。
【０３５６】
（４−３）第３の実施の形態の動作及び効果
以上の構成において、紙幣入出金機２Ｃの開閉型搬送部９１には、第１ガイド部５１が設けられると共に、当該第１ガイド部５１に対し第２ガイド部５２が開閉可能に設けられている。
【０３５７】
また紙幣入出金機２Ｃの開閉型搬送部９１には、第１ガイド部５１に対し第２ガイド部５２を閉位置から半開位置までの間は閉じるように付勢せずに開閉させるものの、第１ガイド部５１に対し第２ガイド部５２が半開位置よりも作業用開位置まで開かれている間は、当該第２ガイド部５２を閉じるように付勢する開閉制御部としての圧縮コイルばね９２が設けられている。
【０３５８】
よって紙幣入出金機２Ｃの開閉型搬送部９１は、第１ガイド部５１に対し作業用開位置まで開かれた第２ガイド部５２が作業者によって押さえられている間は、当該第１ガイド部５１に対し第２ガイド部５２を作業用開位置に開いたままにして当該開閉型搬送部９１に対する作業を行わせることができる。
【０３５９】
そして紙幣入出金機２Ｃの開閉型搬送部９１は、第１ガイド部５１に対し第２ガイド部５２を作業用開位置に開いたままにする押えが解除されると、圧縮コイルばね９２により第２ガイド部５２を作業用開位置から半開位置まで自動的に変位させて半開の状態にする。
【０３６０】
従って紙幣入出金機２Ｃの開閉型搬送部９１は、開閉型搬送部９１に対する作業の際、第１ガイド部５１に対して開いていた第２ガイド部５２が作業の邪魔になり、また作業者の怪我や第２ガイド部５２の破損をまねく等して作業が滞ることを、上述した第１の実施の形態に比して格段的に簡易な構成で容易に回避することができる。
【０３６１】
また紙幣入出金機２Ｃの開閉型搬送部９１は、上述した第２の実施の形態に比しても、開閉型搬送部９１に対する作業の際、第１ガイド部５１に対して開いていた第２ガイド部５２が作業の邪魔になり、また作業者の怪我や第２ガイド部５２の破損をまねく等して作業が滞ることを、簡易な構成で容易に回避することができる。
【０３６２】
以上の構成によれば、紙幣入出金機２Ｃは、開閉型搬送部９１に第１ガイド部５１を設けると共に、その第１ガイド部５１に対し第２ガイド部５２を開閉可能に設け、さらに第１ガイド部５１に対し第２ガイド部５２が半開位置よりも作業用開位置まで開かれている間は、当該第２ガイド部５２を閉じるように付勢する圧縮コイルばね９２を設けるようにし、第１ガイド部５１に対し第２ガイド部５２を作業用開位置に開いたままにする押えが解除されると、圧縮コイルばね９２により第２ガイド部５２を作業用開位置から半開位置まで自動的に変位させて半開の状態にするようにした。
【０３６３】
これにより紙幣入出金機２Ｃは、開閉型搬送部９１に対する作業の際、第１ガイド部５１に対して開いていた第２ガイド部５２が作業の邪魔になり、また作業者の怪我や第２ガイド部５２の破損をまねく等して作業が滞ることを、上述した第１の実施の形態に比して格段的に簡易な構成で容易に回避することができる。
【０３６４】
すなわち、紙幣入出金機２Ｃは、上述した第１の実施の形態によって得られる効果と同様の効果を得ることができると共に、これに加えて上述した第１の実施の形態に比して開閉制御部の構成を格段的に簡易化して、開閉型搬送部９１全体の構成も格段的に簡易化することができる。
【０３６５】
また紙幣入出金機２Ｃは、開閉制御部として圧縮コイルばね９２のみを設けることで、開閉型搬送部９１全体を格段的に小型化することができる。
【０３６６】
（５）他の実施の形態
（５−１）他の実施の形態１
なお上述した第１の実施の形態においては、開閉制御部６０の第２ブラケット６２において第２支持板６２Ａの肩部の他端前隅に第２ばね係止部６２Ｄを、当該第２支持板６２Ａの他面側に突出するように設けるようにした場合について述べた。
【０３６７】
しかしながら本発明は、これに限らず、例えば、図５との対応部分に同一符号を付した図２３に示すように、開閉制御部１００の第２ブラケット１０１において第２支持板１０１Ａの肩部の中央部（第２支持孔部１０１ＡＸの孔部後端の後斜め下近傍）に第２ばね係止部１０１Ｂを、当該第２支持板１０１Ａの他面側に突出するように設けるようにしても良い。
【０３６８】
本発明は、係る構成によれば、開閉制御部１００において第２ブラケット１０１を小型化することができ、その結果、当該開閉制御部１００全体も小型化することができる。
【０３６９】
（５−２）他の実施の形態２
また上述した第１の実施の形態においては、開閉制御部６０において第１ブラケット６１の第１支持孔部６１ＡＸにリンクレール６３の第１ポスト６４を移動可能に支持するようにした場合について述べた。
【０３７０】
しかしながら本発明は、これに限らず、開閉制御部６０において第１ブラケット６１の第１支持孔部６１ＡＸに移動可能に支持したリンクレール６３の第１ポスト６４を、上述した圧縮コイルばね６９による第２ガイド部５２を前側へ引っ張るような付勢力よりも小さい力で、前側に引っ張るように付勢するようにしても良い。
【０３７１】
本発明は、係る構成を、例えば、図７との対応部分に同一符号を付した図２４に示すような開閉制御部１１０によって実現することができる。
【０３７２】
すなわち、本発明は、図２４に示すように、開閉制御部１１０において第１ブラケット１１１の第１支持孔部１１１ＡＸにリンクレール６３の第１ポスト１１２を移動可能に支持すると共に、第１支持板１１１Ａの支持板前端部に圧縮コイルばね１１３の一端を係止し、かつ当該圧縮コイルばね１１３の他端を第１ポスト１１２に係止する。
【０３７３】
そして本発明は、係る構成の場合、圧縮コイルばね１１３として、第２ガイド部５２が自重回転力の作用によって一回転方向に回転したときにはガイド引張力が加わることで伸びるものの、その状態で所定の弾性力により第１ポスト１１２を第１支持板１１１Ａの支持板前端部側に引っ張るように付勢するものを用いるようにする。
【０３７４】
本発明は、係る構成によれば、第１ガイド部５１に対し第２ガイド部５２を開く場合及び閉じる場合の何れも、上述した第１の実施の形態の場合と同様に、第１ガイド部５１に対し第２ガイド部５２を半開状態にすることができる。
【０３７５】
そして本発明は、作業者に第２ガイド部５２を半開位置から閉位置側へ押させて第１ガイド部５１に対して閉じる際には、その作業者に第２ガイド部５２のガイド部自重によってかかる負荷を圧縮コイルばね１１３の付勢によって低減させて、当該第２ガイド部５２を楽に閉めさせることができる。
【０３７６】
ところで、本発明は、係る構成を上述した第１の実施の形態に適用するだけでなく、上述した第２の実施の形態に対しても適用することができる。
【０３７７】
すなわち、本発明は、開閉制御部８２において第１ブラケット６１の第１支持孔部６１ＡＸに第１ばね係止部８３を移動可能に支持すると共に、第１支持板６１Ａの支持板前端部に圧縮コイルばね１１３の一端を係止し、かつ当該圧縮コイルばね１１３の他端を第１ばね係止部８３に係止する。
【０３７８】
これにより本発明は、係る構成を上述した第２の実施の形態に適用した場合も、作業者に第２ガイド部５２を半開位置から閉位置側へ押させて第１ガイド部５１に対して閉じる際には、その作業者に第２ガイド部５２のガイド部自重によってかかる負荷を圧縮コイルばね１１３の付勢によって低減させて、当該第２ガイド部５２を楽に閉めさせることができる。
【０３７９】
（５−３）他の実施の形態３
さらに上述した第１の実施の形態においては、開閉制御部６０においてリンクレール６３の第２ポスト６５を移動可能に支持する第２ブラケット６２の第２支持孔部６２ＡＸを、回動軸５７を中心とする所定半径の円を基準とした円弧状に形成するようにした場合について述べた。
【０３８０】
しかしながら本発明は、これに限らず、例えば、開閉制御部６０においてリンクレール６３の第２ポスト６５を移動可能に支持する第２ブラケット６２の第２支持孔部６２ＡＸを、孔部前端よりも孔部後端が下がるように傾斜する直線状に形成するようにしても良い。
【０３８１】
本発明は、係る構成によっても、第２ガイド部５２を作業用開位置に開いたままにする押えが解除された際、リンクレール６３の第２ポスト６５に対し第２ブラケット６２の第２支持孔部６２ＡＸを何ら引っ掛かりなく摺動させて、当該第２ブラケット６２と共に第２ガイド部５２を作業用開位置から他回転方向の半開位置まで回転させることができる。
【０３８２】
また本発明は、第２ガイド部５２が半開位置から一回転方向へ回転させるように押された場合も、第２ブラケット６２の第２支持孔部６２ＡＸに対しリンクレール６３の第２ポスト６５を何ら引っ掛かりなく摺動させて、第２ガイド部５２を半開位置から一回転方向の作業用開位置まで回転させることができる。
【０３８３】
（５−４）他の実施の形態４
さらに上述した第１及び第２の実施の形態においては、開閉型搬送部５０、８１において第１ガイド左側板５５Ａ及び第２ガイド左側板５６Ａに開閉制御部６０、８２を設けるようにした場合について述べた。
【０３８４】
しかしながら本発明は、これに限らず、開閉型搬送部５０、８１において第１ガイド右側板５５Ｂ及び第２ガイド右側板５６Ｂに、上述の開閉制御部６０、８２を左右反転させて形成したような開閉制御部を設けるようにしても良い。また本発明は、係る構成によっても上述した第１及び第２の実施の形態と同様の効果を得ることができる。
【０３８５】
（５−５）他の実施の形態５
さらに上述した第３の実施の形態においては、開閉制御部として１つの圧縮コイルばね９２を用いて、当該圧縮コイルばね９２をガイド支持部５３の後で、一端を第２ガイド左後縁５６ＡＹの対向部分と対向させ、他端を収納ユニット筐体４１の底板４１Ａに接合するようにして配置するようにした場合について述べた。
【０３８６】
しかしながら本発明は、これに限らず、開閉制御部として１つの圧縮コイルばね９２を用いて、当該圧縮コイルばね９２をガイド支持部５３の後で、一端を第２ガイド右後縁５６ＢＹの屈曲部から他端寄りの所定部分と対向させ、他端を収納ユニット筐体４１の底板４１Ａに接合するようにして配置するようにしても良い。
【０３８７】
また本発明は、開閉制御部として１つの圧縮コイルばね９２を用いて、当該圧縮コイルばね９２をガイド支持部５３の後で、一端を第２ガイド筐体５６の胴体板の下端と対向させ、他端を収納ユニット筐体４１の底板４１Ａに接合するようにして配置するようにしても良い。
【０３８８】
さらに本発明は、開閉制御部として２つの圧縮コイルばね９２を用いて、これら２つの圧縮コイルばね９２をガイド支持部５３の後で、一方は一端を第２ガイド左後縁５６ＡＹの対向部分と対向させ、他端を収納ユニット筐体４１の底板４１Ａに接合するようにして配置し、他方は一端を第２ガイド右後縁５６ＢＹの屈曲部から他端寄りの所定部分と対向させ、他端を収納ユニット筐体４１の底板４１Ａに接合するようにして配置するようにしても良い。
【０３８９】
さらに本発明は、開閉制御部として圧縮コイルばね９２に換えて、第２ガイド左側板５６Ａにおける回動軸５７の取付部分とガイド支持部５３の左支持板５３Ｂにおける軸受用孔部の穿設部分との間、及び第２ガイド右側板５６Ｂにおける回動軸５８の取付部分とガイド支持部５３の右支持板５３Ｃにおける軸受用孔部の穿設位置との間の少なくとも一方に取り付けた１又は２つのトーションばねを用いるようにしても良い。
【０３９０】
さらに本発明は、開閉制御部として１つの板ばねを用いて、当該板ばねをガイド支持部５３の後で、一端を第２ガイド左後縁５６ＡＹの対向部分と対向させ、他端を収納ユニット筐体４１の底板４１Ａに接合するようにして配置するようにしても良い。
【０３９１】
さらに本発明は、開閉制御部として１つの板ばねを用いて、当該板ばねをガイド支持部５３の後で、一端を第２ガイド右後縁５６ＢＹの屈曲部から他端寄りの所定部分と対向させ、他端を収納ユニット筐体４１の底板４１Ａに接合するようにして配置するようにしても良い。
【０３９２】
さらに本発明は、開閉制御部として１つの板ばねを用いて、当該板ばねをガイド支持部５３の後で、一端を第２ガイド筐体５６の胴体板の下端と対向させ、他端を収納ユニット筐体４１の底板４１Ａに接合するようにして配置するようにしても良い。
【０３９３】
さらに本発明は、開閉制御部として２つの板ばねを用いて、これら２つの板ばねをガイド支持部５３の後で、一方は一端を第２ガイド左後縁５６ＡＹの対向部分と対向させ、他端を収納ユニット筐体４１の底板４１Ａに接合するようにして配置し、他方は一端を第２ガイド右後縁５６ＢＹの屈曲部から他端寄りの所定部分と対向させ、他端を収納ユニット筐体４１の底板４１Ａに接合するようにして配置するようにしても良い。
【０３９４】
（５−６）他の実施の形態６
さらに上述した第１乃至第３の実施の形態においては、開閉型搬送部５０、８１、９１に略コ字状の第１ガイド筐体５５と、略コ字状の第２ガイド筐体５６とを用いるようにした場合について述べた。
【０３９５】
しかしながら本発明は、これに限らず、開閉型搬送部５０、８１に第１ガイド筐体として第１ガイド左側板５５Ａ及び第１ガイド右側板５５Ｂのみを、複数のローラ軸のような搬送用部品によって連結して（すなわち、一体化して）用いるようにしても良い。
【０３９６】
また本発明は、開閉型搬送部５０、８１に第２ガイド筐体として第２ガイド左側板５６Ａ及び第２ガイド右側板５６Ｂのみを、複数のローラ軸のような搬送用部品によって連結して（すなわち、一体化して）用いるようにしても良い。
【０３９７】
さらに本発明は、開閉型搬送部５０、８１、９１に第１ガイド筐体及び第２ガイド筐体として、一方は上述した第１乃至第３の実施の形態と同様に略コ字状のものを用い、他方を一対の側板のみから構成されるものを用いるようにして良い。
【０３９８】
（５−７）他の実施の形態７
さらに上述した第１乃至第３の実施の形態においては、開閉型搬送部５０、８１、９１においてガイド支持部５３により第２ガイド部５２を回動可能に支持するようにした場合について述べた。
【０３９９】
しかしながら本発明は、これに限らず、開閉型搬送部５０、８１、９１においてガイド支持部５３により第２ガイド部５２を回動可能に支持するものの、例えば、第２ガイド部５２の所定位置と収納ユニット筐体４１の底板４１Ａの所定位置との間にダンパを設け、当該ダンパにより第２ガイド部５２の一回転方向への回転速度を制限するようにしても良い。
【０４００】
本発明は、係る構成によれば、第２ガイド部５２が閉位置から自重回転力の作用によって一回転方向に独りでに回転する際、ダンパにより第２ガイド部５２の回転速度を落として、半開位置に停止させるときの回動軸５７、５８や第２ガイド左側板５６Ａ及び第２ガイド右側板５６Ｂに対する当該回動軸５７、５８の取付部分にかかる負荷をさらに低減させることができる。
【０４０１】
よって本発明は、係る構成によれば、第２ガイド部５２の一回転方向への回転を半開位置で強制的に停止させても、当該第２ガイド部５２において回動軸５７、５８や当該回動軸５７、５８の取付部分が破損することをより確実に防止することができる。
【０４０２】
（５−８）他の実施の形態８
さらに上述した第１乃至第３の実施の形態においては、開閉型搬送部５０、８１、９１においてガイド支持部５３により第１ガイド部５１を固定するように支持し、第２ガイド部５２を回動可能に支持するようにした場合について述べた。
【０４０３】
しかしながら本発明は、これに限らず、開閉型搬送部５０、８１、９１においてガイド支持部５３により第１ガイド部５１を回動可能に支持すと共に、第２ガイド部５２を固定するように支持して、第２ガイド部５２に対し第１ガイド部５１が開閉された際、上述の第２ガイド部５２の開閉の際と同様に半開位置に強制的に停止させるようにしても良い。
【０４０４】
また本発明は、開閉型搬送部５０、８１、９１においてガイド支持部５３により第２ガイド部５２を回動可能に支持すると共に、第１ガイド部５１も一対の回動軸を介して一回転方向及び他回転方向に回動可能に支持する。
【０４０５】
そのうえで本発明は、開閉型搬送部５０、８１、９１において第１ガイド部５１を回転させるための一対の回動軸と、第２ガイド部５２を回転させるための一対の回動軸５７、５８との少なくとも一方の対応するもの同士（すなわち、左や右の同一の方向に設けられたもの同士）を、偶数個の歯車で連結し、又はベルトをクロス掛けして連結するようにしても良い。
【０４０６】
本発明は、係る構成によれば、例えば、第１ガイド部５１に対し第２ガイド部５２が開閉された場合、その開閉に連動させて当該第１ガイド部５１も開閉させることができる。
【０４０７】
これにより本発明は、第１ガイド部５１に対し第２ガイド部５２が半開位置や作業用開位置まで開かれた場合、上述した第１乃至第３の実施の形態に比して、第１ガイド部５１と第２ガイド部５２との開き角度を大きくすることができる。
【０４０８】
特に本発明は、第１ガイド部５１に対し第２ガイド部５２が作業用開位置まで開かれた場合、当該第１ガイド部５１と第２ガイド部５２との開き角度が大きいことで、作業を行い易くすることができる。
【０４０９】
（５−９）他の実施の形態９
さらに上述した第１乃至第３の実施の形態においては、入出金機筐体２０に対し紙幣収納ユニット４０、８０、９０を正面２０Ａ側に引出可能なように設けるようにした場合について述べた。
【０４１０】
しかしながら本発明は、これに限らず、入出金機筐体２０に対し紙幣収納ユニット４０、８０、９０を背面２０Ｂ側に引出可能に設けるようにしても良い。
【０４１１】
本発明は、係る構成によれば、入出金機筐体２０から紙幣収納ユニット４０、８０、９０が引き出されて第１ガイド部５１に対し第２ガイド部５２が作業用開位置まで開かれた場合、第２ガイド部５２を作業用開位置に開いたままにする押えが解除されると自動的に半開位置まで変位させる。
【０４１２】
これにより本発明は、作業者が作業のために第２ガイド部５２の周囲を動き回るような場合に、その第２ガイド部５２が邪魔になり、また作業者が第２ガイド部５２に接触して破損させることを防止して、作業効率が低下することを防止することができる。
【０４１３】
（５−１０）他の実施の形態１０
さらに上述した第１乃至第３の実施の形態においては、本発明による開閉装置を、図１乃至図２４について上述した開閉型搬送部５０、８１、９１に適用するようにした場合について述べた。
【０４１４】
しかしながら本発明は、これに限らず、種々の形状及び構成の第１筐体に対し種々の形状及び構成の扉や蓋等のような第２筐体が前側及び後側や、左側及び右側、上側及び下側等の２方向に回動やスライドして開閉可能な施封小束支払機３（図１）や紙幣補充回収機４（図１）、現金外ポスト９（図９）、現金自動預払機、現金自動支払機（CD：Cash  Dispenser）、紙幣収納庫、両替機、電車の切符や観劇のチケット等を販売する券売機、精算機、自動販売機、パチンコ台やスロット台のような遊戯機、コピー機、葉書搬送装置等のように、この他種々の構成の開閉装置に広く適用することができる。
【０４１５】
（５−１１）他の実施の形態１１
さらに上述した第１乃至第３の実施の形態においては、本発明による紙葉類搬送装置を、図１乃至図２４について上述した紙幣入出金機２Ａ、２Ｂ、２Ｃに設けられた開閉型搬送部５０、８１、９１に適用するようにした場合について述べた。
【０４１６】
しかしながら本発明は、これに限らず、種々の形状及び構成の第１筐体に対し種々の形状及び構成の第２筐体が前側及び後側や、左側及び右側、上側及び下側等の２方向に回動やスライドして開閉可能で、紙幣や有価証券、切符、チケット、コピー用紙、葉書等を搬送する開閉型搬送部等のように、この他種々の紙葉類搬送装置に広く適用することができる。
【０４１７】
（５−１２）他の実施の形態１２
さらに上述した第１乃至第３の実施の形態においては、本発明による紙葉類取扱装置を、図１乃至図２４について上述した開閉型搬送部５０、８１、９１が設けられた紙幣入出金機２Ａ、２Ｂ、２Ｃに適用するようにした場合について述べた。
【０４１８】
しかしながら本発明は、これに限らず、第１筐体に対し第２筐体が閉じられると、紙幣や切符、チケット、コピー用紙、葉書等の紙葉類の搬送や、収納、計数等のような取扱に使用可能になる施封小束支払機３（図１）や紙幣補充回収機４（図１）、現金外ポスト９（図１）、現金自動預払機、現金自動支払機、両替機、券売機、精算機、自動販売機、遊戯機、コピー機、葉書搬送装置等のように、この他種々の紙葉類取扱装置に広く適用することができる。
【０４１９】
（５−１３）他の実施の形態１３
さらに上述した第１乃至第３の実施の形態においては、第１筐体として、図１乃至図２４について上述した略コ字状の第１ガイド筐体５５を適用するようにした場合について述べた。
【０４２０】
しかしながら本発明は、これに限らず、一対の側板でなる第１筐体や、箱型の第１筐体等のように、この他種々の形状及び構成の第１筐体を広く適用することができる。
【０４２１】
（５−１４）他の実施の形態１４
さらに上述した第１乃至第３の実施の形態においては、第１筐体に対し開方向及び閉方向に変位させるようにして開閉可能に設けられた第２筐体として、図１乃至図２４について上述した回動可能に支持された略コ字状の第２ガイド筐体５６を適用するようにした場合について述べた。
【０４２２】
しかしながら本発明は、これに限らず、一対の側板でなる第２筐体や、箱型の第２筐体、第１筐体に対し開方向及び閉方向にスライドして開閉可能に設けられる平板状の第２筐体等のように、この他種々の形状及び構成の第２筐体を広く適用することができる。
【０４２３】
（５−１５）他の実施の形態１５
さらに上述した第１乃至第３の実施の形態においては、第１筐体に対し第２筐体が開方向の作業用開位置まで変位して開かれた際、第２筐体に対する作業用開位置に開いたままにする押さえが解除されると、第２筐体を作業用開位置から閉方向の半開位置まで自動的に変位させる開閉制御部として、図１乃至図２４について上述した開閉制御部６０、８２、１００、１１０及び圧縮コイルばね９２を適用するようにした場合について述べた。
【０４２４】
しかしながら本発明は、これに限らず、第２筐体に一端が係止されたワイヤを繰り出し、また自動的に巻き取るようにして第１筐体に対する第２筐体の開閉を制御する開閉制御部等のように、この他種々の構成の開閉制御部を広く適用することができる。
【０４２５】
（５−１６）他の実施の形態１６
さらに上述した第１乃至第３の実施の形態においては、紙葉類を搬送するための所定の部品を有する第１筐体として、図１乃至図２４について上述した略コ字状の第１ガイド筐体５５を適用するようにした場合について述べた。
【０４２６】
しかしながら本発明は、これに限らず、一対の側板でなる第１筐体や、箱型の第１筐体等のように、この他種々の形状及び構成の第１筐体を広く適用することができる。
【０４２７】
（５−１７）他の実施の形態１７
さらに上述した第１乃至第３の実施の形態においては、紙葉類を搬送するための所定の部品を有し、第１筐体に対し開方向及び閉方向に変位させるようにして開閉可能に設けられ、第１筐体に対して閉じられると、当該第１筐体との間に紙葉類の搬送路を形成する第２筐体として、図１乃至図２４について上述した回動可能に支持された略コ字状の第２ガイド筐体５６を適用するようにした場合について述べた。
【０４２８】
しかしながら本発明は、これに限らず、一対の側板でなる第２筐体や、箱型の第２筐体等のように、この他種々の形状及び構成の第２筐体を広く適用することができる。
【０４２９】
（５−１８）他の実施の形態１８
さらに上述した第１乃至第３の実施の形態においては、第１筐体に対し開方向及び閉方向に変位させるようにして開閉可能に設けられ、第１筐体に対して閉じられると、当該第１筐体と共に紙葉類の取扱に使用可能になる第２筐体として、図１乃至図２４について上述した回動可能に支持された略コ字状の第２ガイド筐体５６を適用するようにした場合について述べた。
【０４３０】
しかしながら本発明は、これに限らず、紙幣収納庫や現金自動預払機等の一部としての一対の側板でなる第２筐体や、箱型の第２筐体、第１筐体に対し開方向及び閉方向に回動やスライドして開閉可能に設けられる平板状の第２筐体等のように、この他種々の形状及び構成の第２筐体を広く適用することができる。
【産業上の利用可能性】
【０４３１】
本発明は、開閉型搬送部や紙幣収納庫等の開閉装置と、紙幣を搬送する開閉型搬送部や葉書を搬送する開閉型搬送部等の紙葉類搬送装置と、開閉型搬送部や紙幣収納庫等が設けられた紙幣入出金機や現金自動預払機、現金自動支払機等の紙葉類取扱装置とに利用することができる。
【符号の説明】
【０４３２】
２、２Ａ、２Ｂ、２Ｃ……紙幣入出金機、４７……搬送路、５０、８１、９１……開閉型搬送部、５１……第１ガイド部、５２……第２ガイド部、５５……第１ガイド筐体、５６……第２ガイド筐体、５７、５８……回動軸、６０、８２、１００、１１０……開閉制御部、９２……圧縮コイルばね。
【図１】
0005807559.tif 000002
【図２】
0005807559.tif 000003
【図３】
0005807559.tif 000004
【図４】
0005807559.tif 000005
【図５】
0005807559.tif 000006
【図６】
0005807559.tif 000007
【図７】
0005807559.tif 000008
【図８】
0005807559.tif 000009
【図９】
0005807559.tif 000010
【図１０】
0005807559.tif 000011
【図１１】
0005807559.tif 000012
【図１２】
0005807559.tif 000013
【図１３】
0005807559.tif 000014
【図１４】
0005807559.tif 000015
【図１５】
0005807559.tif 000016
【図１６】
0005807559.tif 000017
【図１７】
0005807559.tif 000018
【図１８】
0005807559.tif 000019
【図１９】
0005807559.tif 000020
【図２０】
0005807559.tif 000021
【図２１】
0005807559.tif 000022
【図２２】
0005807559.tif 000023
【図２３】
0005807559.tif 000024
【図２４】
0005807559.tif 000025